(57)【要約】      （修正有）【課題】免許不要スペクトルを通じてのＬＴＥにおける信号強度測定に基づくＲＲＭを提供する。【解決手段】免許不要周波数帯域内でのＵＥ支援チャネル選択方法であって、基地局は、免許不要周波数帯域内のチャネルに関する広帯域干渉フィードバックのためにＵＥを構成する。広帯域信号強度の測定は、基地局が現在送信中でないチャネル上でまたは構成されたセカンダリセルのサイレント期間中に、ＵＥによって実行される。ＵＥは、免許不要周波数帯域の１つまたは複数の周波数チャネルに関する測定帯域幅にわたる平均合計受信電力をフィードバックする。基地局は、ＵＥから広帯域信号強度フィードバックを受信し、候補チャネルのそれ自体の測定値およびＵＥからの広帯域信号強度フィードバックに基づいてセカンダリセルに関するチャネル選択に関する周波数チャネルを特定する。【選択図】図３
2020162125.tif 000002
【特許請求の範囲】
【請求項１】
ワイヤレス通信の方法であって、
ユーザ機器（ＵＥ）において、基地局にチャネル選択支援のための測定値を報告するための構成を特定すること、ここにおいて、前記構成は、少なくとも１つの周波数チャネルに関する複数の信号強度測定期間を示す前記少なくとも１つの周波数チャネルに関する各々のタイミング情報を備える、と、
前記複数の信号強度測定期間中に前記少なくとも１つの周波数チャネルに関する広帯域測定を実行することと、
前記少なくとも１つの周波数チャネルに関する各々のフィルタリングされた広帯域受信信号強度を得るために前記広帯域測定値をフィルタリングすることと、
前記基地局に前記フィルタリングされた広帯域受信信号強度を報告することと、を備える、ワイヤレス通信の方法。
【請求項２】
前記複数の信号強度測定期間は、前記少なくとも１つの周波数チャネル上での前記基地局による送信にかかわらず前記広帯域測定が実行される時間間隔を備える、
請求項１に記載の方法。
【請求項３】
前記各々のタイミング情報に少なくとも部分的に基づいて前記少なくとも１つの周波数チャネルに関する前記複数の信号強度測定期間を特定することをさらに備え、ここにおいて、前記各々のタイミング情報は、前記ＵＥに関する不連続受信（ＤＲＸ）サイクル、前記複数の信号強度測定期間に関するタイミングを示す測定タイミング構成、またはセルに関する発見基準信号（ＤＲＳ）構成のうちの１つまたは複数を備える、
請求項１に記載の方法。
【請求項４】
前記複数の信号強度測定期間中に前記少なくとも１つの周波数チャネルに関する前記広帯域測定を実行することは、サービス提供セルの帯域幅全体にわたって受信された合計電力、または前記ＵＥへの通信のために現在使用されていない前記少なくとも１つの周波数チャネルの候補周波数チャネルの帯域幅全体にわたって受信された合計電力のうちの１つまたは複数を測定することを備える、
請求項１に記載の方法。
【請求項５】
前記基地局に前記フィルタリングされた広帯域受信信号強度を前記報告することをトリガする報告イベントを特定することをさらに備え、
ここにおいて、前記報告イベントは、前記基地局のサービス提供セルに関する広帯域受信信号強度測定値が第１のしきい値よりも大きいこと、前記サービス提供セルに関する前記広帯域受信信号強度測定値が第２のしきい値よりも小さいこと、前記基地局によって通信のために現在使用されていない前記少なくとも１つの周波数チャネルのうちの候補周波数チャネルに関する広帯域受信信号強度測定値が第３のしきい値よりも小さいこと、または、前記候補周波数チャネルに関する広帯域受信信号強度測定値プラスオフセットが前記サービス提供セルに関する前記広帯域受信信号強度測定値よりも小さいことのうちの１つまたは複数を備える、
請求項１に記載の方法。
【請求項６】
前記フィルタリングされた広帯域受信信号強度を前記報告することは、チャネル選択支援報告期間により前記フィルタリングされた広帯域受信信号強度を周期的に報告することを備える、
請求項１に記載の方法。
【請求項７】
前記少なくとも１つの周波数チャネルは、前記基地局によって通信のために現在使用されていない少なくとも１つの候補周波数チャネルを含む、
請求項１に記載の方法。
【請求項８】
前記少なくとも１つの周波数チャネルは、免許不要周波数帯域の１つまたは複数のチャネルを備える、
請求項１に記載の方法。
【請求項９】
ワイヤレス通信のための装置であって、
ユーザ機器（ＵＥ）において、基地局に少なくとも１つの周波数チャネルに関するチャネル選択支援のための測定値を報告するための構成を特定するための手段、ここにおいて、前記構成は、前記少なくとも１つの周波数チャネルに関する複数の信号強度測定期間を示す前記少なくとも１つの周波数チャネルに関する各々のタイミング情報を備える、と、
前記複数の信号強度測定期間中に前記少なくとも１つの周波数チャネルに関する広帯域測定を実行するための手段と、
前記少なくとも１つの周波数チャネルに関する各々のフィルタリングされた広帯域受信信号強度を得るために前記広帯域測定値をフィルタリングするための手段と、
前記基地局に前記フィルタリングされた広帯域受信信号強度を報告するための手段と、を備える、ワイヤレス通信のための装置。
【請求項１０】
前記複数の信号強度測定期間は、前記少なくとも１つの周波数チャネル上での前記基地局による送信にかかわらず前記広帯域測定が実行される時間間隔を備える、
請求項９に記載の装置。
【請求項１１】
前記各々のタイミング情報に少なくとも部分的に基づいて前記少なくとも１つの周波数チャネルに関する前記複数の信号強度測定期間を特定するための手段をさらに備え、ここにおいて、前記各々のタイミング情報は、前記ＵＥに関する不連続受信（ＤＲＸ）サイクル、前記複数の信号強度測定期間に関するタイミングを示す測定タイミング構成、またはセルに関する発見基準信号（ＤＲＳ）構成のうちの１つまたは複数を備える、
請求項９に記載の装置。
【請求項１２】
前記広帯域測定を実行するための前記手段は、サービス提供セルの帯域幅全体にわたって受信された合計電力または前記ＵＥへの通信のために現在使用されていない前記少なくとも１つの周波数チャネルのうちの候補周波数チャネルの帯域幅全体にわたって受信された合計電力のうちの１つまたは複数を測定する、
請求項９に記載の装置。
【請求項１３】
前記基地局に前記フィルタリングされた広帯域受信信号強度を前記報告することをトリガする報告イベントを特定するための手段をさらに備え、
ここにおいて、前記報告イベントは、前記基地局のサービス提供セルに関する広帯域受信信号強度測定値が第１のしきい値よりも大きいこと、前記サービス提供セルに関する前記広帯域受信信号強度測定値が第２のしきい値よりも小さいこと、前記基地局によって通信のために現在使用されていない前記少なくとも１つの周波数チャネルのうちの候補周波数チャネルに関する広帯域受信信号強度測定値が第３のしきい値よりも小さいこと、または、前記候補周波数チャネルに関する前記広帯域受信信号強度測定値プラスオフセットが前記サービス提供セルに関する前記広帯域受信信号強度測定値よりも小さいことのうちの１つまたは複数を備える、
請求項９に記載の装置。
【請求項１４】
報告するための前記手段は、チャネル選択支援報告期間により前記フィルタリングされた広帯域受信信号強度を周期的に報告する、
請求項９に記載の装置。
【請求項１５】
前記少なくとも１つの周波数チャネルは、前記基地局によって通信のために現在使用されていない少なくとも１つの候補周波数チャネルを含む、
請求項９に記載の装置。
【請求項１６】
ワイヤレス通信の方法であって、
基地局によって、少なくとも１つの周波数チャネルに関するチャネル選択支援のための測定値を報告するために少なくとも１つユーザ機器（ＵＥ）を構成すること、ここにおいて、前記構成することは、前記少なくとも１つの周波数チャネルに関する複数の信号強度測定期間を示す前記少なくとも１つの周波数チャネルに関する各々のタイミング情報を送信することを備える、と、
前記少なくとも１つＵＥから、前記各々のタイミング情報により測定されたＵＥ広帯域受信信号強度情報を受信することと、
前記ＵＥ受信信号強度干渉情報に少なくとも部分的に基づいて前記基地局のセカンダリセルに関する周波数チャネルを特定することと、を備える、ワイヤレス通信の方法。
【請求項１７】
前記複数の信号強度測定期間の間前記少なくとも１つの周波数チャネル上での送信を抑制することをさらに備える、
請求項１６に記載の方法。
【請求項１８】
前記少なくとも１つの周波数チャネルに関する信号強度を測定することによって基地局広帯域信号強度情報を決定することと、
前記基地局広帯域受信信号強度情報に少なくとも部分的に基づいて前記基地局の前記セカンダリセルに関する前記周波数チャネルを特定することと、をさらに備える、
請求項１６に記載の方法。
【請求項１９】
前記少なくとも１つのＵＥは、前記基地局のプライマリセルによってサービスが提供されている複数のＵＥを備え、および、ここにおいて、前記セカンダリセルに関する前記周波数チャネルを前記特定することは、前記基地局広帯域受信信号強度情報および前記受信されたＵＥ広帯域受信信号強度情報に少なくとも部分的に基づいて最低の結合された干渉レベルを有する周波数チャネルを決定することを備える、
請求項１８に記載の方法。
【請求項２０】
前記各々のタイミング情報は、前記少なくとも１つのＵＥに関するＤＲＸサイクル、前記少なくとも１つの周波数チャネルに関する前記複数の信号強度に関するタイミングを示す測定タイミング構成、または前記少なくとも１つの周波数チャネルに関する発見基準信号（ＤＲＳ）構成のうちの１つまたは複数を備える、
請求項１６に記載の方法。
【請求項２１】
前記少なくとも１つのＵＥを前記構成することは、前記少なくとも１つのＵＥに、前記基地局によって通信のために現在使用されていない免許不要周波数帯域の候補周波数チャネルを特定する周波数情報、広帯域受信信号強度報告期間、フィルタリングされた広帯域受信信号強度を得るために測定された広帯域受信信号強度をフィルタリングするためのフィルタ係数、またはそれらの組み合わせのうちのいずれかを送信することを備える、
請求項１６に記載の方法。
【請求項２２】
前記少なくとも１つの周波数チャネルは、前記基地局によって通信のために現在使用されていない免許不要周波数帯域の少なくとも１つの候補周波数チャネルを含む、
請求項１６に記載の方法。
【請求項２３】
ワイヤレス通信のための装置であって、
基地局によって、少なくとも１つの周波数チャネルに関するチャネル選択支援のための測定値を報告するために少なくとも１つのユーザ機器（ＵＥ）を構成するための手段、ここにおいて、前記構成することは、前記少なくとも１つの周波数チャネルに関する複数の信号強度測定期間を示す前記少なくとも１つの周波数チャネルに関する各々のタイミング情報を送信することを備える、と、
前記少なくとも１つのＵＥから、前記各々のタイミング情報により測定されたＵＥ広帯域受信信号強度情報を受信するための手段と、
前記ＵＥ受信信号強度干渉情報に少なくとも部分的に基づいて前記基地局のセカンダリセルに関する周波数チャネルを特定するための手段と、を備える、ワイヤレス通信のための装置。
【請求項２４】
前記複数の信号強度測定期間の間前記少なくとも１つの周波数チャネル上での送信を抑制するための手段をさらに備える、
請求項２３に記載の装置。
【請求項２５】
周波数チャネルの前記少なくとも１つに関する信号強度を測定することによって基地局広帯域信号強度情報を決定するための手段をさらに備え、
ここにおいて、特定するための前記手段は、前記基地局広帯域受信信号強度情報に少なくとも部分的に基づいて前記基地局の前記セカンダリセルに関する前記周波数チャネルを特定する、
請求項２３に記載の装置。
【請求項２６】
前記少なくとも１つのＵＥは、前記基地局のプライマリセルによってサービスが提供されている複数のＵＥを備え、および、ここにおいて、前記セカンダリセルに関する前記周波数チャネルを前記特定することは、前記基地局広帯域受信信号強度情報および前記受信されたＵＥ広帯域受信信号強度情報に少なくとも部分的に基づいて最低の結合された干渉レベルを有する周波数チャネルを決定することを備える、
請求項２５に記載の装置。
【請求項２７】
前記各々のタイミング情報は、前記少なくとも１つのＵＥに関するＤＲＸサイクル、前記少なくとも１つの周波数チャネルに関する前記複数の信号強度に関するタイミングを示す測定タイミング構成、または前記少なくとも１つの周波数チャネルに関する発見基準信号（ＤＲＳ）構成のうちの１つまたは複数を備える、
請求項２３に記載の装置。
【請求項２８】
構成するための前記手段は、前記少なくとも１つのＵＥに、前記基地局によって通信のために現在使用されていない免許不要周波数帯域の候補周波数チャネルを特定する周波数情報、広帯域受信信号強度報告期間、フィルタリングされた広帯域受信信号強度を得るために測定された広帯域受信信号強度をフィルタリングするためのフィルタ係数、またはそれらの組み合わせのうちのいずれかを送信する、
請求項２３に記載の装置。
【請求項２９】
前記少なくとも１つの周波数チャネルは、前記基地局によって通信のために現在使用されていない免許不要周波数帯域の少なくとも１つ候補周波数チャネルを含む、
請求項２３に記載の装置。
【発明の詳細な説明】
【相互参照】
【０００１】
[0001]本特許出願は、各々が本明細書の譲受人に譲渡され、２０１６年１月２２日に出願され、「RRM Based on Signal Strength Measurements in LTE（登録商標） over Unlicensed Spectrum」と題し、Ｖａｊａｐｅｙａｍ、等による米国特許出願第１５／００４，６７２号、および、２０１５年１月３０日に出願され、「LTE-U RRM Based on Silent Interference Measurements」と題し、Ｖａｊａｐｅｙａｍ、等による米国仮特許出願第６２／１０９，９２１号、に対する優先権を主張する。
【技術分野】
【０００２】
[0002]以下は、概して、ワイヤレス通信に関し、より具体的には、免許不要スペクトルを通じてのＬＴＥにおけるサイレント干渉測定に基づく無線リソース管理（ＲＲＭ）に関する。
【背景技術】
【０００３】
[0003]ワイヤレス通信システムは、音声、映像、パケットデータ、メッセージング、ブロードキャスト、等のような様々なタイプの通信コンテンツを提供するために広く展開されている。これらのシステムは、利用可能なシステムリソース（例えば、時間、周波数、および電力）を共有することによって複数のユーザとの通信をサポートすることが可能な多元接続システムであり得る。そのような多元接続システムの例は、符号分割多元接続（ＣＤＭＡ）システムと、時分割多元接続（ＴＤＭＡ）システムと、周波数分割多元接続（ＦＤＭＡ）システムと、直交周波数分割多元接続（ＯＦＤＭＡ）システム（例えば、ＬＴＥシステム）と、を含む。
【０００４】
[0004]例として、ワイヤレス多元接続通信システムは、別の場合はユーザ機器（ＵＥ）として知られ得る複数の通信デバイスに関する通信を各々が同時にサポートする幾つかの基地局を含み得る。基地局は、（例えば、基地局からＵＥへの送信に関しては）ダウンリンクチャネル上でおよび（ＵＥから基地局への送信に関しては）アップリンクチャネル上で通信デバイスと通信し得る。
【０００５】
[0005]ワイヤレス通信システムは、様々な無線リソース管理（ＲＲＭ）技法を使用し得る。例えば、スペクトルリソースが固定チャネル割り振り（ＦＣＡ）またはダイナミック周波数選択（ＤＦＳ）によって割り当てられ得る。セルラーネットワークは、要免許周波数帯域でＦＣＡを使用して動作する傾向がある。ＤＦＳは、幾つかの隣接する中央以外で制御されるアクセスポイントまたはデバイスを有する無線ネットワークにおいて適用され得る。ＤＦＳは、低い干渉レベルを有する周波数チャネルを選択するためにアクセスポイントまたはデバイスによって使用され得る。ＤＦＳは、様々なＩＥＥＥ８０２．１１ワイヤレスローカルエリアネットワーク（ＷＬＡＮ）プロトコルによってサポートされる。ＤＦＳはまた、他の送信（例えば、レーダー、等）の回避のために幾つかの帯域において要求され得る。概して、ＤＦＳのプロセスはまた、チャネル選択と呼ばれ得る。
【０００６】
[0006]要免許無線周波数スペクトル帯域を使用するセルラーネットワークにおいてデータトラフィックがますます増加するのに従い、免許不要無線周波数スペクトル帯域への少なくとも幾つかのデータトラフィックのオフロードは、拡張されたデータ送信容量に関する機会をセルラーオペレータ（例えば、ＬＴＥ／ＬＴＥ−Ａネットワークのような公衆陸上移動体ネットワーク（ＰＬＭＮ）またはセルラーネットワークを定義する調整された一組の基地局）に提供し得る。免許不要無線周波数スペクトル帯域の使用はまた、要免許無線周波数スペクトル帯域へのアクセスが不能であるエリアにおいてサービスを提供し得る。幾つかの場合、セルラーネットワークは、免許不要スペクトルを通じて多元接続セルラー通信システムにおいて使用されるキャリア波形と同様のそれらを利用し得る。例えば、ネットワークは、免許不要スペクトルにおいてＬＴＥ−／ＬＴＥ−Ａセルを使用し得、それは、ＬＴＥ−Ｕｎｌｉｃｅｎｓｅｄ（ＬＴＥ−Ｕ）動作として知られ得る。しかしながら、実質的な干渉を引き起こすまたは免許不要スペクトルの他のユーザから受けることなしにＬＴＥ−Ｕセルに関するチャネル選択を実行することは、難題を生じさせ得る。
【発明の概要】
【０００７】
[0007]免許不要周波数帯域内でのＵＥ支援チャネル選択のためのシステム、方法、および装置が説明される。基地局は、免許不要周波数帯域内で（例えば、セカンダリセルとして構成された）ＬＴＥ−／ＬＴＥ−Ａキャリア波形を使用してＵＥと通信し得る。基地局は、セカンダリセルを介しての通信のために構成され得る基地局によってサービスが提供されるＵＥによる広帯域干渉フィードバックを構成し得る。広帯域干渉測定は、基地局が現在送信中でないチャネル（例えば、チャネル選択のための候補チャネル、等）上で、またはセカンダリセルの信号強度測定期間中に、ＵＥによって実行され得る。ＵＥは、免許不要周波数帯域の１つまたは複数の周波数チャネルに関して測定帯域幅にわたる平均合計受信電力をフィードバックし得る。基地局は、ＵＥから広帯域干渉フィードバックを受信し、候補チャネルのそれ自体の測定値およびＵＥからの広帯域干渉フィードバックに基づいてセカンダリセルに関するチャネル選択のための潜在的な周波数チャネルを特定し得る。
【０００８】
[0008]ワイヤレス通信の方法が説明される。方法は、ユーザ機器（ＵＥ）において、基地局に少なくとも１つの周波数チャネルに関するチャネル選択支援のための測定値を報告するための構成（configuration）を特定すること、ここにおいて、構成は、複数の信号強度測定期間を示すタイミング情報を備える、と、複数の信号強度測定期間中に構成により少なくとも１つの周波数チャネルのうちの少なくとも１つに関する広帯域測定を実行することと、少なくとも１つの周波数チャネルのうちの少なくとも１つに関する各々のフィルタリングされた広帯域受信信号強度を得るために広帯域測定値をフィルタリングすることと、基地局にフィルタリングされた広帯域受信信号強度を報告することと、を含み得る。
【０００９】
[0009]ワイヤレス通信のための装置が説明される。装置は、ユーザ機器（ＵＥ）において、基地局に少なくとも１つの周波数チャネルに関するチャネル選択支援のための測定値を報告するための構成を特定するための手段、ここにおいて、構成は、基地局が少なくとも１つの周波数チャネルのうちの少なくとも１つ上での送信を抑制し得る複数の信号強度測定期間を示すタイミング情報を供える、と、構成により少なくとも１つの周波数チャネルに関する広帯域測定を実行するための手段と、少なくとも１つの周波数チャネルのうちの少なくとも１つに関する各々のフィルタリングされた広帯域受信信号強度を得るために広帯域測定値をフィルタリングするための手段と、基地局にフィルタリングされた広帯域受信信号強度を報告するための手段と、を含み得る。
【００１０】
[0010]さらなる装置が説明される。装置は、プロセッサと、プロセッサと電子的通信状態にあるメモリと、メモリに格納された命令と、を含み得る。命令は、ユーザ機器（ＵＥ）において、基地局に周波数チャネルのうちの少なくとも１つに関するチャネル選択支援のための測定値を報告するための構成を特定し、ここにおいて、構成は、複数の信号強度測定期間を示すタイミング情報を備え、複数の信号強度測定期間中に構成により少なくとも１つの周波数チャネルに関する広帯域測定を実行し、少なくとも１つの周波数チャネルに関する各々のフィルタリングされた広帯域受信信号強度を得るために広帯域測定値をフィルタリングし、および、基地局にフィルタリングされた広帯域受信信号強度を報告することをプロセッサに行わせるために動作可能であり得る。
【００１１】
[0011]ワイヤレス通信のための非一時的なコンピュータ可読媒体が説明される。非一時的なコンピュータ可読媒体は、ユーザ機器（ＵＥ）において、基地局に一組の周波数チャネルに関するチャネル選択支援のための測定値を報告するための構成を特定し、ここで、構成は、基地局が一組の周波数チャネルのうちの少なくとも１つ上での送信を抑制する複数の信号強度測定期間を示すタイミング情報を備え、構成により一組の周波数チャネルのうちの少なくとも１つに関する広帯域測定を実行し、一組の周波数チャネルのうちの少なくとも１つに関する各々のフィルタリングされた広帯域受信信号強度を得るために広帯域測定値をフィルタリングし、および、基地局にフィルタリングされた広帯域受信信号強度を報告することをプロセッサに行わせるための命令を含み得る。
【００１２】
[0012]上述される方法、装置、または非一時的なコンピュータ可読媒体の幾つかの例は、タイミング情報に基づいて複数の信号強度測定期間を特定するためのプロセス、特徴、手段、または命令をさらに含み得、ここで、タイミング情報は、ＵＥに関する不連続的受信（ＤＲＸ）サイクル、複数の信号強度測定期間に関するタイミングを示す測定タイミング構成、またはセルに関する発見基準信号（ＤＲＳ）構成のうちの１つまたは複数を備える。
【００１３】
[0013]上述される方法、装置、または非一時的なコンピュータ可読媒体の幾つかの例において、少なくとも１つまたは複数の周波数チャネルに関する広帯域測定を実行することは、複数の信号強度測定期間の間にサービス提供セルの帯域幅全体にわたって受信された合計電力、または、基地局によって通信のために現在使用されていない一組の周波数チャネルのうちの候補周波数チャネルの帯域幅全体にわたって受信された合計電力のうちの１つまたは複数を測定することを備える。
【００１４】
[0014]上述される方法、装置、または非一時的なコンピュータ可読媒体の幾つかの例は、基地局にフィルタリングされた広帯域受信信号強度を報告することをトリガする報告イベントを特定するためのプロセス、特徴、手段、または命令をさらに含み得る。上述される方法、装置、または非一時的なコンピュータ可読媒体の幾つかの例において、報告イベントは、基地局のサービス提供セルに関する広帯域受信信号強度測定値が第１のしきい値よりも大きいこと、サービス提供セルに関する広帯域受信信号強度測定値が第２のしきい値よりも小さいこと、基地局によって通信のために現在使用されていない一組の周波数チャネルのうちの候補周波数チャネルに関する広帯域受信信号強度測定値が第３のしきい値よりも小さいこと、または、候補周波数チャネルに関する広帯域受信信号強度測定値プラスオフセットがサービス提供セルに関する広帯域受信信号強度測定値よりも小さいことのうちの１つまたは複数を備える。
【００１５】
[0015]上述される方法、装置、または非一時的なコンピュータ可読媒体の幾つかの例において、フィルタリングされた広帯域受信信号強度を報告することは、チャネル選択支援報告期間によりフィルタリングされた広帯域受信信号強度を周期的に報告することを備える。
【００１６】
[0016]上述される方法、装置、または非一時的なコンピュータ可読媒体の幾つかの例において、周波数チャネルの組は、基地局によって通信のために現在使用されていない少なくとも１つの候補周波数帯域を含む。
【００１７】
[0017]上述される方法、装置、または非一時的なコンピュータ可読媒体の幾つかの例において、周波数チャネルの組は、免許不要周波数帯域のチャネルを備える。
【００１８】
[0018]ワイヤレス通信の方法が説明される。方法は、基地局によって、少なくとも１つの周波数チャネルに関するチャネル選択支援のための測定値を報告するために少なくとも１つのＵＥを構成すること、ここにおいて、構成することは、基地局が少なくとも１つの周波数チャネル上での送信を抑制する複数の信号強度測定期間を示すタイミング情報を送信することを備える、と、少なくとも１つのＵＥから、タイミング情報により測定されたＵＥ広帯域受信信号強度情報を受信することと、少なくとも１つの周波数チャネルに関する信号強度を測定することによって基地局広帯域受信信号強度情報を決定することと、基地局広帯域受信信号強度情報およびＵＥ受信信号強度干渉情報に少なくとも部分的に基づいて基地局のセカンダリセルに関する周波数チャネルを特定することと、を含み得る。
【００１９】
[0019]ワイヤレス通信のための装置が説明される。装置は、基地局によって、少なくとも１つの周波数チャネルに関するチャネル選択支援のための測定値を報告するために少なくとも１つのＵＥを構成するための手段、ここにおいて、構成することは、基地局が少なくとも周波数チャネル上での送信を抑制する複数の信号強度測定期間を示すタイミング情報を送信することを備える、と、少なくとも１つのＵＥから、タイミング情報により測定されたＵＥ広帯域受信信号強度信号情報を受信するための手段と、少なくとも１つの周波数チャネルに関する信号強度を測定することによって基地局広帯域受信信号強度情報を決定するための手段と、基地局広帯域受信信号強度情報およびＵＥ受信信号強度干渉情報に少なくとも部分的に基づいて基地局のセカンダリセルに関する周波数チャネルを特定するための手段と、を含み得る。
【００２０】
[0020]さらなる装置が説明される。装置は、プロセッサと、プロセッサと電子的通信状態にあるメモリと、メモリに格納された命令と、を含み得る。命令は、基地局によって、少なくとも１つの周波数チャネルに関するチャネル選択支援のための測定値を報告するために少なくとも１つのＵＥを構成し、ここにおいて、構成することは、基地局が少なくとも１つの周波数チャネル上での送信を抑制する複数の信号強度測定期間を示すタイミング情報を送信することを備え、少なくとも１つのＵＥから、タイミング情報により測定されたＵＥ広帯域受信信号強度情報を受信し、少なくとも１つの周波数チャネルに関する信号強度を測定することによって基地局広帯域受信信号強度情報を決定し、および、基地局広帯域受信信号強度情報およびＵＥ受信信号強度干渉情報に少なくとも部分的に基づいて基地局のセカンダリセルに関する周波数チャネルを特定することをプロセッサに行わせるために動作可能であり得る。
【００２１】
[0021]ワイヤレス通信のための非一時的なコンピュータ可読媒体が説明される。非一時的なコンピュータ可読媒体は、基地局によって、一組の周波数チャネルに関するチャネル選択支援のための測定値を報告するために少なくとも１つのＵＥを構成し、ここで、構成することは、基地局が一組の周波数チャネルのうちの少なくとも１つ上での送信を抑制する複数の信号強度測定期間を示すタイミング情報を送信することを備え、少なくとも１つのＵＥから、タイミング情報により測定されたＵＥ広帯域受信信号強度情報を受信し、周波数チャネルの組に関する信号強度を測定することによって基地局広帯域受信信号強度情報を決定し、および、基地局広帯域受信信号強度情報およびＵＥ受信信号強度干渉情報に基づいて基地局のセカンダリセルに関する周波数チャネルを特定することをプロセッサに行わせるための命令を含み得る。
【００２２】
[0022]上述される方法、装置、または非一時的なコンピュータ可読媒体の幾つかの例は、複数の信号強度測定期間の間一組の周波数チャネルのうちの少なくとも１つ上での送信をサイレントにするためのプロセス、特徴、手段、または命令をさらに含み得る。
【００２３】
[0023]上述される方法、装置、または非一時的なコンピュータ可読媒体の幾つかの例において、タイミング情報は、少なくとも１つのＵＥに関するＤＲＸサイクル、少なくとも１つの周波数チャネルに関する複数の信号強度測定期間に関するタイミングを示す測定タイミング構成、または、少なくとも周波数チャネルに関する発見基準信号（ＤＲＳ）構成のうちの１つまたは複数を備える。
[0024]上述される方法、装置、または非一時的なコンピュータ可読媒体の幾つかの例において、少なくとも１つのＵＥを構成することは、少なくとも１つのＵＥに、基地局によって通信のために現在使用されていない免許不要周波数帯域の候補周波数チャネルを特定する周波数情報、広帯域受信信号強度報告期間、フィルタリングされた広帯域受信信号強度を得るために測定された広帯域受信信号強度をフィルタリングするためのフィルタ係数、またはそれらの組み合わせのうちのいずれかを送信することを備える。
【００２４】
[0025]上述される方法、装置、または非一時的なコンピュータ可読媒体の幾つかの例において、少なくとも１つのＵＥは、基地局のプライマリセルによってサービスが提供されている一組のＵＥを備え、ここで、セカンダリセルに関する周波数チャネルを特定することは、基地局広帯域受信信号強度情報および受信されたＵＥ広帯域受信信号強度情報に基づいて最低の結合された干渉レベルを有する周波数チャネルを決定することを備える。
【００２５】
[0026]上述される方法、装置、または非一時的なコンピュータ可読媒体の幾つかの例において、１つまたは複数の周波数チャネルは、基地局によって通信のために現在使用されていない免許不要周波数帯域の少なくとも１つ候補周波数チャネルを含む。上述される方法、装置、または非一時的なコンピュータ可読媒体の幾つかの例において、周波数チャネルの組は、免許不要周波数帯域のチャネルを備える。
【００２６】
[0027]開示される概念および具体例は、本開示の同じ目的を実行するための他の構造を変更または設計するための基礎として容易に利用され得る。そのような同等の構成は、添付された請求項の範囲から逸脱しない。本明細書において開示される概念の特徴、それらの構成および動作の方法の両方は、関連する利点とともに、添付される図に関連させて検討されたときに以下の説明からより良く理解されるであろう。それらの図の各々は、例示および説明のみを目的として提供され、請求項の限界の限定として提供されるものではない。
【図面の簡単な説明】
【００２７】
[0028]以下の図面の参照によって本開示の性質および利点のさらなる理解が実現され得る。添付された図において、同様のコンポーネントまたは特徴は、同じ参照ラベルを有し得る。さらに、同じタイプの様々なコンポーネントは、ダッシュおよび同様のコンポーネントを区別する第２のラベルが参照ラベルに後続することによって区別され得る。第１の参照ラベルのみが明細書において使用される場合は、説明は、第２の参照ラベルにかかわらず同じ第１の参照ラベルを有する同様のコンポーネントのうちの任意の１つに適用可能である。
【図１】[0029]  図１は、本開示の様々な態様によるワイヤレス通信システムの例を示す。
【図２】[0030]  図２は、本開示の様々な態様によるワイヤレス通信環境の例を示す。
【図３】[0031]  図３は、本開示の様々な態様によるＵＥ支援チャネル選択に関するプロセスフロー例を示す。
【図４Ａ】[0032]  図４Ａは、本開示の様々な態様による免許不要周波数帯域でのチャネル選択のための広帯域干渉測定に関するタイミング図例を示す。
【図４Ｂ】[0033]  図４Ｂは、本開示の様々な態様による免許不要周波数帯域でのチャネル選択のための広帯域干渉測定に関するタイミング図例を示す。
【図５】[0034]  図５は、本開示の様々な態様による広帯域干渉フィードバックを報告するためのタイミング図例を示す。
【図６】[0035]  図６は、本開示の様々な態様による免許不要周波数帯域でのチャネル選択のための広帯域干渉フィードバックを提供するために構成された無線デバイスのブロック図を示す。
【図７】[0036]  図７は、本開示の様々な態様による免許不要周波数帯域でのチャネル選択のための広帯域干渉フィードバックを提供するための無線デバイスのブロック図を示す。
【図８】[0037]  図８は、本開示の様々な態様による免許不要周波数帯域でのチャネル選択のための広帯域干渉フィードバックを提供するための広帯域干渉マネージャのブロック図を示す。
【図９】[0038]  図９は、本開示の様々な態様による免許不要周波数帯域でのチャネル選択のための広帯域干渉フィードバックを提供するために構成されたＵＥを含むシステムの概略図を示す。
【図１０】[0039]  図１０は、本開示の様々な態様による免許不要周波数帯域でのチャネル選択を実行するために構成された無線デバイスのブロック図を示す。
【図１１】[0040]  図１１は、本開示の様々な態様による免許不要周波数帯域でのチャネル選択を実行するための無線デバイスのブロック図を示す。
【図１２】[0041]  図１２は、本開示の様々な態様による免許不要周波数帯域でのチャネル選択を実行するための基地局広帯域干渉マネージャ１０１０−ｂのブロック図を示す。
【図１３】[0042]  図１３は、本開示の様々な態様による免許不要周波数帯域でのチャネル選択を実行するために構成された基地局を含むシステムの概略図を示す。
【図１４】[0043]  図１４は、本開示の様々な態様による免許不要周波数帯域でのチャネル選択のための広帯域干渉フィードバックを提供するための方法を示したフローチャートを示す。
【図１５】[0044]  図１５は、本開示の様々な態様による免許不要周波数帯域でのチャネル選択のための広帯域干渉フィードバックを提供するための方法を示したフローチャートを示す。
【図１６】[0045]  図１６は、本開示の様々な態様による免許不要周波数帯域でのチャネル選択を実行するための方法を示したフローチャートを示す。
【発明を実施するための形態】
【００２８】
[0046]免許不要周波数帯域内でのＵＥ支援チャネル選択のためのシステム、方法、または装置が説明される。幾つかの免許不要周波数帯域は、ダイナミック周波数選択（ＤＲＳ）またはチャネル選択を使用して多チャネル動作をサポートする。例えば、５ＧＨｚ帯域は、（ＬＴＥ−Ｕｎｌｉｃｅｎｓｅｄ（ＬＴＥ−Ｕ）と呼ばれ得る）ＬＴＥをベースにしたプロトコルにより動作するために考慮される。チャネル選択を有効に実行することは、免許不要周波数帯域におけるＬＴＥ−／ＬＴＥ−Ａ技術と他の無線アクセス技術（ＲＡＴ）との共存を可能にする重要なことである。適切なチャネル選択技法は、ＬＴＥ−Ｕ基地局（例えば、免許不要スペクトルを介しての通信のためにＬＴＥをベースにしたプロトコルを使用する基地局または免許不要および要免許の両方のスペクトルを介しての通信のためにＬＴＥをベースにしたプロトコルを使用する基地局）が、他のＬＴＥ−Ｕ基地局またはデバイス、または同じ帯域を使用する他のＲＡＴ（例えば、Ｗｉ−Ｆｉ）を使用するデバイスから干渉を受け取ること／それらに対する干渉を引き起こすことを回避することを可能にし得る。基地局において実行された測定のみに基づくチャネル選択は、チャネル選択を使用する最良の性能および共存にとって十分でないことがある。例えば、基地局によってサービスが提供されるＵＥにおける干渉状態は、基地局自体によって経験されるのとかなり異なり得る。幾つかの例において、サービスが提供されるＵＥに近いノードは、ＵＥ送信または受信に対して大きな影響を及ぼす一方で基地局に対して低い干渉を引き起こし得る。
【００２９】
[0047]ＵＥ支援チャネル選択は、ＵＥにおける干渉状態の測定値を提供するようにサービスが提供されるＵＥを構成することを含み、基地局１０５は、チャネル選択を実行する際にそのことを考慮に入れることができる。例えば、ほとんどのサービスが提供されるＵＥが特定のチャネル上での低い干渉を報告する場合、基地局は、それらのチャネルに対してセカンダリセルを選択または再選択し得る。ＬＴＥ／ＬＴＥ−Ａセルに関する現在のフィードバック方式は、受信信号受信電力（ＲＳＲＰ）または基地局によって送信される信号の強度または品質の指示を提供する基準信号受信品質（ＲＳＲＱ）に基づいて最強であるセルを決定することが対象である。しかしながら、ＲＳＲＰ／ＲＳＲＱをベースにした測定は、チャネル上で送信するようにＬＴＥ−Ｕセルに要求するため、ＬＴＥ−Ｕにおけるチャネル選択にとって適切でないことがある。ＲＳＲＰ／ＲＳＲＱ測定のための信号の送信は、干渉状態を乱し得る。例えば、他のノードは、そのような送信を検知したときには引き下がり得、チャネルは、チャネル上での基地局による送信がない場合に実際にそうであるよりも「クリア」に見え得る。
【００３０】
[0048]説明される実施形態は、サービス提供セルまたはＵＥが現在通信するように構成されていない免許不要周波数帯域の他の候補チャネルの複数の信号強度測定期間に関する干渉メトリックを含むＵＥからのフィードバックを報告することを含む。干渉メトリックは、免許不要周波数帯域のチャネルに関する広帯域干渉の指示（例えば、受信信号強度インジケータ（ＲＳＳＩ）、等）を含み得る。広帯域干渉は、周波数チャネルにまたがる周波数リソースにわたって測定され得、および、測定期間（例えば、サブフレーム、等）の間にシンボルの部分組またはすべてにわたって測定され得る。代替で、セルのリソースの部分組は、基地局によってサイレントにされ得（例えば、消音されたＣＳＩ−ＲＳリソース）、広帯域干渉は、サイレントにされたリソースにわたって測定され得る。基地局は、複数の信号強度測定期間を示す測定タイミング情報でＵＥを構成し得る。測定タイミング情報は、ＵＥに関する不連続受信（ＤＲＸ）サイクル、セルに関する発見基準信号（ＤＲＳ）タイミング、または、基地局が送信をサイレントにする測定タイミング構成を含み得る。基地局は、複数の信号強度測定期間中に送信をサイレントにし（例えば、チャネル上のいずれのリソース上でも送信せず）、ＵＥによって経験される周波数チャネルに関する広帯域干渉の指示を受信し、および、それ自体の測定値および報告された広帯域干渉情報に基づいてセカンダリセルの選択または再選択に関するチャネルを特定する。
【００３１】
[0049]幾つかの場合、測定タイミング構成は、ＲＳＳＩ測定タイミング構成（ＲＭＴＣ）またはＤＲＳ機会構成を含み得る。ＤＲＳ機会構成は、ＤＲＳ測定タイミング構成（ＤＭＴＣ）ウィンドウを含み、さらに、ＤＲＳがいつ送信されるかを示し得る。ＲＭＴＣおよび／またはＤＲＳ機会構成は、構成されたセカンダリセルまたは候補周波数（例えば、構成されない周波数チャネル、等）に適用し得る。幾つかの場合、ＲＭＴＣは、報告間隔において平均受信電力（例えば、ＲＳＳＩ）および／またはチャネル占有率（例えば、ＲＳＳＩがしきい値を上回り得る測定サンプルの比率）を測定および報告するための構成パラメータを含み得る。
【００３２】
[0050]ＵＥは、免許不要周波数帯域の１つまたは複数の周波数チャネルに関する周期的な広帯域干渉測定を実行し、測定値をフィルタリングし、フィルタリングされた干渉の指示（例えば、ＲＳＳＩ、等）をフィードバックし得る。広帯域干渉測定値に関して報告することは、周期的、非周期的であり得、または、報告トリガによってトリガされ得る。例えば、報告することは、セカンダリセルに関する広帯域測定値が第１のしきい値よりも小さい、セカンダリセルに関する広帯域干渉測定値が第２のしきい値よりも大きい、候補周波数チャネルに関する広帯域干渉測定値が第３のしきい値よりも小さい、候補周波数チャネルに関する広帯域干渉測定値プラスオフセットがセカンダリセルに関する広帯域干渉測定値よりも小さい、セカンダリセルに関する広帯域干渉がしきい値よりも高くおよび同時に候補チャネルが別のしきい値よりも良い（例えば、より低い）、および同様のときにトリガされ得る。
【００３３】
[0051]以下の説明は、例を提供するものであり、請求項内で示される範囲、適用可能性、または例を限定するものではない。本開示の適用範囲から逸脱することなしに論じられている要素の機能およびアレンジメントの変更が行われ得る。様々な例は、様々なプロシージャまたはコンポーネントを適宜省略、置換、または追加し得る。例えば、説明される方法は、説明される順序と異なるそれで実行され得、様々なステップが追加、省略、または組み合わされ得る。さらに、幾つかの例に関して説明される特徴は、他の例では結合され得る。
【００３４】
[0052]図１は、本開示の様々な態様によるワイヤレス通信システム１００の例を示す。ワイヤレス通信システム１００は、基地局１０５と、少なくとも１つＵＥ１１５と、コアネットワーク１３０と、を含む。コアネットワーク１３０は、ユーザ認証、アクセス権限、トラッキング、インターネットプロトコル（ＩＰ）接続性、および他のアクセス、ルーティング、またはモビリティ機能を提供し得る。基地局１０５は、バックホールリンク１３２（例えば、Ｓ１、等）を通じてコアネットワーク１３０とインタフェースする。基地局１０５は、ＵＥ１１５との通信のための無線構成およびスケジューリングを実行し得、または、基地局コントローラ（示されていない）の制御下で動作し得る。様々な例において、基地局１０５は、有線または無線通信リンクであり得るバックホールリンク１３４（例えば、Ｘ１、等）を通じて互いと直接または（例えば、コアネットワーク１３０を通じて）間接的に通信し得る。
【００３５】
[0053]基地局１０５は、１本または複数本の基地局アンテナを介してＵＥ１１５と無線で通信し得る。基地局１０５の各々は、各々の地理上のカバレッジエリア１１０に関する通信カバレッジを提供し得る。幾つかの例において、基地局１０５は、ベーストランシーバ局、無線基地局、アクセスポイント、無線トランシーバ、ＮｏｄｅＢ、ｅＮｏｄｅＢ（ｅＮＢ）、ホームＮｏｄｅＢ、ホームｅＮｏｄｅＢ、または何らかの他の適切な用語と呼ばれ得る。基地局１０５に関する地理上のカバレッジエリア１１０は、カバレッジエリア（示されていない）の一部分のみを成すセクタに分割され得る。ワイヤレス通信システム１００は、異なるタイプの基地局１０５（例えば、マクロまたはスモールセル基地局）を含み得る。異なる技術に関して重複する地理上のカバレッジエリア１１０が存在し得る。
【００３６】
[0054]幾つかの例において、ワイヤレス通信システム１００は、ＬＴＥ／ＬＴＥ−Ａｄｖａｎｃｅｄ（ＬＴＥ−Ａ）ネットワークである。ＬＴＥ／ＬＴＥ−Ａネットワークにおいて、用語発展型ノードＢ（ｅＮＢ）は、概して、基地局１０５について説明するために使用され得、他方、用語ＵＥは、概して、ＵＥ１１５について説明するために使用され得る。ネットワークは、異なる環境においてサービスを提供するために異なるタイプ（例えば、電力クラス、等）の基地局１０５を含み得る。マクロセルは、概して、相対的に大きな地理上のエリア（例えば、半径数キロメートル）を網羅し、および、ネットワークプロバイダとのサービス加入契約を有するＵＥ１１５による無制限のアクセスを許容し得る。幾つかの場合、ワイヤレス通信ネットワーク１００は、それらのカバレッジエリアが１つまたは複数のマクロ基地局のカバレッジエリアと重複し得るスモールセルを含み得る。スモールセルは、マクロセルと同じまたは異なる（例えば、要免許、免許不要、等）周波数帯域で動作し得る、マクロセルと比較してより低い電力の基地局である。幾つかの場合、スモールセルは、高いユーザ需要を有するエリアまたはマクロ基地局によって十分に網羅されていないエリアにおいて加えられ得る。例えば、スモールセルは、ショッピングセンター内において、または信号送信が地形または建物によって遮断されるエリアにおいて配置され得る。ラージセルおよびスモールセルの両方を含むネットワークは、異種ネットワークとして知られ得る。幾つかの場合、スモールセルは、負荷が高いときにマクロ基地局がトラフィックをオフロードすることを可能にすることによってネットワーク性能を向上させ得る。スモールセルはまた、クローズド加入者グループ（ＣＳＧ）として知られる制限されたグループにサービスを提供し得るホームｅＮＢ（ＨｅＮＢ）を含み得る。例えば、オフィスビルは、そのビルの占有者のみによる使用のためのスモールセルを含み得る。幾つかの場合、異種ネットワークは、同種ネットワークよりも複雑なネットワークプランニングおよび干渉軽減技法を含み得る。用語「セル」は、文脈に依存して、基地局、基地局と関連されたキャリアまたはコンポーネントキャリア、または、キャリアまたは基地局のカバレッジエリア（例えば、セクタ、等）について説明するために使用されることができる３ＧＰＰ（登録商標）用語である。ｅＮＢ１０５またはスモールセル１０５は、１つまたは複数（例えば、２つ、３つ、４つ、および同様）のセル（例えば、コンポーネントキャリア）をサポートし得る。
【００３７】
[0055]ワイヤレス通信システム１００は、同期的なまたは非同期的な動作をサポートし得る。同期的な動作の場合は、基地局１０５は、同様のフレームタイミングを有し得、異なる基地局１０５からの送信は、時間的にほぼ整合させ得る。非同期的な動作の場合は、基地局１０５は、異なるフレームタイミングを有し得、異なる基地局１０５からの送信は、時間的に整合させ得ない。本明細書において説明される技法は、同期的な動作または非同期的な動作のいずれかのために使用され得る。
【００３８】
[0056]様々な開示された例のうちの一部に対処し得る通信ネットワークは、層化プロトコルスタックにより動作するパケット型ネットワークであり得、ユーザプレーン内のデータは、ＩＰに基づき得る。無線リンク制御（ＲＬＣ）層は、論理チャネル上で通信するためにパケットの分割および再組み立てを実行し得る。メディアアクセス制御（ＭＡＣ）層は、論理チャネルの優先的取り扱いおよびトランスポートチャネルへの多重化を実行し得る。ＭＡＣ層はまた、リンク効率を向上させるためにＭＡＣ層での再送信を提供するためにハイブリッド自動再送要求（ＨＡＲＱ）を使用し得る。制御プレーンにおいて、無線リソース制御（ＲＲＣ）プロトコル層は、ＵＥ１１５と基地局１０５との間でのＲＲＣ接続の確立、構成、およびメンテナンスを提供し得る。ＲＲＣプロトコル層はまた、ユーザプレーンデータに関する無線ベアラのコアネットワーク１３０サポートのために使用され得る。物理（ＰＨＹ）層において、トランスポートチャネルは、物理チャネルにマッピングされ得る。
【００３９】
[0057]ＵＥ１１５は、ワイヤレス通信システム１００全体にわたって分散され得、各ＵＥ１１５は、静止型または移動型であり得る。ＵＥ１１５はまた、移動局、加入者局、モバイルユニット、加入者ユニット、無線ユニット、遠隔ユニット、モバイルデバイス、無線デバイス、ワイヤレス通信デバイス、遠隔デバイス、モバイル加入者局、アクセス端末、モバイル端末、無線端末、遠隔端末、ハンドセット、ユーザエージェント、モバイルクライアント、クライアント、または何らかの他の適切な用語を含み得または当業者によってそれらの用語と呼ばれ得る。ＵＥ１１５は、携帯電話、携帯情報端末（ＰＤＡ）、無線モデム、ワイヤレス通信デバイス、ハンドヘルドデバイス、タブレットコンピュータ、ラップトップコンピュータ、コードレスフォン、ワイヤレスローカルループ（ＷＬＬ）局、または同様の物であり得る。ＵＥは、マクロｅＮＢと、スモールセルｅＮＢと、中継基地局と、同様の物とを含む様々なタイプの基地局およびネットワーク機器と通信することができる。
【００４０】
[0058]ワイヤレス通信システム１００において示される通信リンク１２５は、ＵＥ１１５から基地局１０５へのアップリンク（ＵＬ）送信、基地局１０５からＵＥ１１５へのダウンリンク（ＤＬ）送信を含み得る。ダウンリンク送信はまた、順方向リンク送信と呼ばれ得、アップリンク送信はまた、逆方向リンク送信と呼ばれ得る。各通信リンク１２５は、１つまたは複数のキャリアを含み得、ここで、各キャリアは、上述される様々な無線技術により変調された複数のサブキャリア（例えば、異なる周波数の波形信号）から成る信号であり得る。各々の変調された信号は、異なるサブキャリア上で送信され得、および、制御情報（例えば、基準信号、制御チャネル、等）、オーバーヘッド情報、ユーザデータ、等を搬送し得る。
【００４１】
[0059]ＬＴＥシステムは、ＤＬ上では直交周波数分割多元接続（ＯＦＤＭＡ）およびＵＬ上では単一キャリア周波数分割多元接続（ＳＣ−ＦＤＭＡ）を利用し得る。ＯＦＤＭＡおよびＳＣ−ＦＤＭＡは、システム帯域幅を複数（Ｋ個の）直交サブキャリアに分割し、それらは、トーンまたはビンとも共通して呼ばれる。各サブキャリアは、データとともに変調され得る。隣接するサブキャリア間のスペースは固定され得、サブキャリアの総数（Ｋ）は、システム帯域幅に依存し得る。例えば、Ｋは、７２、１８０、３００、６００、９００、または１２００であり得、それぞれ１．４、３、５、１０、１５、または２０メガヘルツ（ＭＨｚ）の対応するシステム帯域幅（ガード帯域を有する）に関して１５キロヘルツ（ＫＨｚ）のサブキャリアスペースを有する。システム帯域幅はまた、副帯域に分割され得る。例えば、副帯域は、１．０８ＭＨｚを網羅し得、１、２、４、８または１６の副帯域が存在し得る。通信リンク１２５は、（例えば、対になったスペクトルリソースを使用する）周波数分割複信（ＦＤＤ）または（例えば、対でないスペクトルリソースを使用する）時分割複信（ＴＤＤ）動作を使用して双方向通信を送信し得る。ＦＤＤ（例えば、フレーム構造タイプ１）およびＴＤＤ（例えば、フレーム構造タイプ２）に関してフレーム構造が定義され得る。
【００４２】
[0060]ワイヤレス通信システム１００の幾つかの例において、基地局１０５またはＵＥ１１５は、基地局１０５とＵＥ１１５との間の通信品質および信頼性を向上させるためにアンテナダイバーシティ方式を使用するための複数のアンテナを含み得る。さらに加えてまたは代替で、基地局１０５またはＵＥ１１５は、同じまたは異なるコーディングされたデータを搬送する複数の空間層を送信するために多経路環境を利用し得る多入力多出力（ＭＩＭＯ）技法を使用し得る。
【００４３】
[0061]ワイヤレス通信システム１００は、キャリアアグリゲーション（ＣＡ）またはマルチキャリア動作と呼ばれ得る特徴である、複数のセルまたはキャリア上での動作、をサポートし得る。キャリアはまた、ＣＣ、レイヤ、チャネル、等と呼ばれ得る。用語「コンポーネントキャリア」は、キャリアアグリゲーション（ＣＡ）動作においてＵＥによって利用される複数のキャリアの各々を意味し得、システム帯域幅の他の部分と区別され得る。例えば、コンポーネントキャリアは、独立してまたは他のコンポーネントキャリアと組み合わせて利用され得る相対的に狭い帯域幅のキャリアであり得る。各キャリアは、制御情報（例えば、基準信号、制御チャネル、等）、オーバーヘッド情報、データ、等を送信するために使用され得る。より大きい帯域幅、および、例えばより高いデータレートを幾つかのＵＥ１１５に提供するために複数のコンポーネントキャリアが同時に束ねられ得るまたは利用され得る。各コンポーネントキャリアは、ＬＴＥ規格のリリース８またはリリース９に基づいて分離されたキャリアと同じ能力を提供し得る。従って、個々のコンポーネントキャリアは、レガシーＵＥ１１５（例えば、ＬＴＥリリース８またはリリース９を実装するＵＥ１１５）と後方互換可能であり得、他方、他のＵＥ１１５（例えば、リリース８／９後のＬＴＥバージョンを実装するＵＥ１１５）は、マルチキャリアモードにおいて複数のコンポーネントキャリアで構成され得る。ＤＬに関して使用されるキャリアは、ＤＬ  ＣＣと呼ばれ得、ＵＬに関して使用されるキャリアは、ＵＬ  ＣＣと呼ばれ得る。ＵＥ１１５は、キャリアアグリゲーションのために複数のＤＬ  ＣＣおよび１つまたは複数のＵＬ  ＣＣを用いて構成され得る。さらに加えてまたは代替で、キャリアアグリゲーションは、ＴＤＤコンポーネントキャリアとともに使用され得る。
【００４４】
[0062]ＵＥ１１５は、複数のキャリアを利用して単一の基地局１０５と通信し得、および、異なるキャリア上で同時に複数の基地局とも通信し得る。基地局１０５の各セルは、ＤＬ  ＣＣ、ＴＤＤ  ＵＬ−ＤＬ  ＣＣ、またはＤＬ  ＣＣ、およびＵＬ  ＣＣを含み得る。基地局１０５に関する各サービス提供セルのカバレッジエリア１１０は、異なり得る（例えば、異なる周波数帯域上のＣＣは、異なる経路損失を経験し得る）。幾つかの例において、１つのキャリアは、ＵＥ１１５に関してはプライマリキャリア、またはプライマリコンポーネントキャリア（ＰＣＣ）と呼ばれ得、プライマリセル（ＰＣｅｌｌ）によってサービスが提供され得る。ＰＣｅｌｌは、ＵＥ１１５に関するＲＲＣ接続インタフェースとして働き得る。幾つかのアップリンク制御情報（ＵＣＩ）、例えば、物理アップリンク制御チャネル（ＰＵＣＣＨ）上で送信される肯定応答（ＡＣＫ）／ＮＡＣＫ、チャネル品質インジケータ（ＣＱＩ）、およびスケジューリング情報が、ＰＣｅｌｌによって搬送され得る。追加のキャリアは、セカンダリキャリア、またはセカンダリコンポーネントキャリア（ＳＣＣ）と呼ばれ得、セカンダリセル（ＳＣｅｌｌ）によってサービスが提供され得る。セカンダリセルは、１つのＵＥごとに半静的に構成され得る。幾つかの場合、セカンダリセルは、プライマリセルと同じ制御情報を含み得ないまたはプライマリセルと同じ制御情報を送信するように構成され得ない。
【００４５】
[0063]データは、論理チャネル、トランスポートチャネル、および物理層チャネルに分割され得る。チャネルはまた、制御チャネルおよびトラフィックチャネルに分類され得る。論理制御チャネルは、情報をページングするためのページング制御チャネル（ＰＣＣＨ）と、ブロードキャストシステム制御情報のためのブロードキャスト制御チャネル（ＢＣＣＨ）と、マルチメディアブロードキャストマルチキャストサービス（ＭＢＭＳ）スケジューリングおよび制御情報を送信するためのマルチキャスト制御チャネル（ＭＣＣＨ）と、専用制御情報を送信するための専用制御チャネル（ＤＣＣＨ）と、ランダムアクセス情報のための共通制御チャネル（ＣＣＣＨ）と、専用ＵＥデータのためのＤＴＣＨと、マルチキャストデータのためのマルチキャストトラフィックチャネル（ＭＴＣＨ）と、を含み得る。ＤＬトランスポートチャネルは、ブロードキャスト情報のためのブロードキャストチャネル（ＢＣＨ）と、データ転送のためのダウンリンク共有チャネル（ＤＬ−ＳＣＨ）と、情報をページングするためのページングチャネル（ＰＣＨ）と、マルチキャスト送信のためのマルチキャストチャネル（ＭＣＨ）と、を含み得る。ＵＬトランスポートチャネルは、アクセスのためのランダムアクセスチャネル（ＲＡＣＨ）と、データのためのアップリンク共有チャネル（ＵＬ−ＳＣＨ）と、を含み得る。ＤＬ物理チャネルは、ブロードキャスト情報のための物理ブロードキャストチャネル（ＰＢＣＨ）と、制御フォーマット情報のための物理制御フォーマットインジケータチャネル（ＰＣＦＩＣＨ）と、制御およびスケジューリング情報のための物理ダウンリンク制御チャネル（ＰＤＣＣＨ）と、ＨＡＲＱ状態メッセージのための物理ＨＡＲＱインジケータチャネル（ＰＨＩＣＨ）と、ユーザデータのための物理ダウンリンク共有チャネル（ＰＤＳＣＨ）と、マルチキャストデータのための物理マルチキャストチャネル（ＰＭＣＨ）と、を含み得る。ＵＬ物理チャネルは、アクセスメッセージのための物理ランダムアクセスチャネル（ＰＲＡＣＨ）と、制御データのための物理アップリンク制御チャネル（ＰＵＣＣＨ）と、ユーザデータのための物理アップリンク共有チャネル（ＰＵＳＣＨ）と、を含み得る。
【００４６】
[0064]基地局１０５は、ＲＲＣ構成の一部としての測定報告構成をＵＥ１１５に提供し得る。測定報告構成は、ＵＥ１１５がいずれの近隣セルおよび周波数を測定すべきであるかに関連するパラメータと、サービス提供セル以外の周波数を測定するための間隔（例えば、測定ギャップ）と、測定レポートを送信するための判定基準と、測定レポートの送信のための間隔と、他の関連する情報と、を含み得る。幾つかの場合、測定レポートは、サービス提供セルまたは近隣セルのチャネル状態に関連するイベントによってトリガされ得る。例えば、ＬＴＥシステムにおいて、サービス提供セルがしきい値よりも良くなったときに第１のレポート（Ａ１）、サービス提供セルがしきい値よりも悪くなったときに第２のレポート（Ａ２）、近隣セルがプライマリサービス提供セルよりもオフセット値分だけ良くなったときに第３のレポート（Ａ３）、近隣セルがしきい値よりも良くなったときに第４のレポート（Ａ４）、プライマリサービスを提供するセルがしきい値よりも悪くなりおよび同時に近隣セルが別のしきい値よりも良い（例えば、高い）ときに第５のレポート（Ａ５）、近隣セルがセカンダリサービス提供セルよりもオフセット値分だけ良くなったときに第６のレポート（Ａ６）、異なる無線アクセス技術（ＲＡＴ）を使用する近隣物がしきい値よりも良くなったときに第７のレポート（Ｂ１）、および、プライマリサービス提供セルがしきい値よりも悪くなりおよびＲＡＴ間近隣物が別のしきい値よりも良くなったときに第８のレポート（Ｂ２）、がトリガされ得る。幾つかの場合、ＵＥ１１５は、レポートを送信する前にトリガ状態が依然として残ることを検証するためにトリガ時間（ＴＴＴ）として知られるタイマ間隔の間待ち得る。他のレポートは、トリガ状態に基づく代わりに周期的に送信され得る（例えば、２秒ごとに、ＵＥ１１５は、トランスポートブロック誤り率の指示を送信し得る）。
【００４７】
[0065]基地局１０５は、ＵＥ１１５によるチャネル推定およびコヒーレントな復調を支援するためにセル固有基準信号（ＣＲＳ）のような周期的なパイロットシンボルを挿入し得る。ＣＲＳは、５０４の異なるセルアイデンティティのうちの１つを含み得る。それらは、雑音および干渉に対して弾力性があるようにするために四位相偏移変調（ＱＰＳＫ）を使用して変調され、パワーブーストされ得る（例えば、周囲のデータ要素よりも６ｄＢ高い状態で送信され得る）。ＣＲＳは、受信側ＵＥ１１５のアンテナポートまたは層（最大で４つ）の数に基づいて各リソースブロック内の４乃至１６個のリソース要素内に埋め込まれ得る。基地局１０５のカバレッジエリア１１０内のすべてのＵＥ１１５によって利用され得るＣＲＳに加えて、復調基準信号（ＤＭＲＳ）が特定のＵＥ１１５に向けられ得、それらのＵＥ１１５に割り当てられたリソースブロックのみで送信され得る。ＤＭＲＳは、６つのリソース要素が送信される各リソースブロック内のそれらの６つのリソース要素上の信号を含み得る。幾つかの場合、２組のＤＭＲＳが隣接するリソース要素において送信され得る。幾つかの場合、チャネル状態情報（ＣＳＩ）を生成するのを支援するためにチャネル状態情報基準信号（ＣＳＩ−ＲＳ）として知られる追加の基準信号が含められ得る。ＣＳＩ−ＲＳリソースの部分組は、干渉管理リソース（ＩＭＲ）と呼ばれ得、基地局間での調整された干渉管理のために使用され得、それは、調整マルチポイント（ＣｏＭＰ）動作として知られ得る。ＵＬ上で、ＵＥ１１５は、リンク適合化および変調のそれぞれのために周期的サウンディング(sounding)基準信号（ＳＲＳ）およびＵＬ  ＤＭＲＳの組み合わせを送信し得る。
【００４８】
[0066]ＬＴＥ−／ＬＴＥ−Ａネットワークに関するカバレッジエリアは、免許不要スペクトルを使用するネットワークを含む他のネットワークと重複し得る。例えば、Ｗｉ−Ｆｉアクセスポイント１５０は、免許不要周波数帯域上でのリンクを使用してデバイス（例えば、ＵＥ１１５、等）と接続され得る。他のタイプの機器は、他の目的（例えば、レーダー、等）のために免許不要周波数帯域を利用し得る。
【００４９】
[0067]基地局１０５およびＵＥ１１５はまた、ＬＴＥ−／ＬＴＥ−Ａキャリアタイプを使用して免許不要周波数帯域で動作するように構成され得、それは、ＬＴＥ−Ｕｎｌｉｃｅｎｓｅｄ（ＬＴＥ−Ｕ）動作と呼ばれ得る。上述されるように、免許不要周波数帯域に関するプロトコルは、免許不要帯域を共用する近隣デバイス間での共チャネル干渉および隣接チャネル干渉を制限する一方で帯域を使用する異なるデバイスに帯域幅および通信チャネルを割り振るためにＤＦＳのようなＲＲＭ技法を要求し得る。免許不要周波数帯域は、免許不要周波数帯域内の特定の周波数範囲に割り当てられたチャネルに分割され得る。例えば、米国における５ＧＨｚ免許不要帯域は、各々２０ＭＨｚまたは４０ＭＨｚのチャネルに分割され、様々なチャネルに対して追加の制限が課せられ、様々なチャネルに関して要求されるＤＦＳを含む。免許不要周波数帯域で動作する近隣デバイス間での共チャネル干渉および隣接チャネル干渉を制限するためにＤＦＳを実行するプロセスは、チャネル選択と呼ばれ得る。適切なチャネル選択によって、ＬＴＥ−Ｕ基地局１０５は、同じ帯域を使用する他のＬＴＥ−Ｕデバイスまたは他のＲＡＴ（例えば、Ｗｉ−Ｆｉ、等）に関する過度の干渉を受ける／引き起こすのを回避することができる。
【００５０】
[0068]チャネル選択を実行するために、基地局１０５は、他のデバイスへの共チャネルおよび隣接チャネル干渉を制限するための適切なチャネルを見つけ出すために周波数帯域内のチャネル上での干渉の測定を実行し得る。しかしながら、測定に純粋に基づくチャネル選択は、最良の性能および共存の確保にとって十分でないことがある。幾つかの場合、基地局１０５によってサービスが提供されるＵＥにおける干渉状態は、基地局１０５において実行される干渉測定でみられることとかなり異なり得る。例えば、基地局１０５によってサービスが提供されるＵＥに近いノードは、サービスが提供されるＵＥに対してより大きい影響を有する一方で基地局１０５においてはるかに低い検出可能な干渉を引き起こし得る。
【００５１】
[0069]上述されるように、現在のＬＴＥ−／ＬＴＥ−Ａシステムでは、ＵＥ１１５は、基地局１０５によってサービスが提供されるセルに関する信号状態を報告するために信号測定値をフィードバックする。例えば、ＵＥ１１５は、概して、基地局１０５のサービス提供セルのＲＳＲＰまたはＲＳＲＱ測定値を報告する。しかしながら、ＲＳＲＰ／ＲＳＲＱをベースにした測定値は、チャネル上で送信するようにＬＴＥ−Ｕに要求するため、ＬＴＥ−Ｕにおけるチャネル選択にとって適切でないことがある。ＲＳＲＰ／ＲＳＲＱフィードバックのためにチャネル上で送信することは、それ自体が干渉状態を乱し得る。例えば、他のノードは、そのような送信を検知したときには引き下がり得、チャネルは、実際にそうであるよりも「クリア」に見え得る。さらに、ＲＳＲＰ／ＲＳＲＱをベースにした測定値は、サービス提供セル上でしかサポートされず、従って、基地局１０５が現在送信中でない免許不要周波数帯域のチャネルに関連する情報を提供しない。
【００５２】
[0070]実施形態において、ｅＮＢ１０５およびＵＥ１１５のようなワイヤレス通信システム１００の異なる態様は、免許不要周波数帯域でのＵＥ支援チャネル選択を実行するように構成され得る。基地局１０５は、免許不要周波数帯域においてセカンダリセルに関して構成され得る基地局によってサービスが提供されるＵＥ１１５によって広帯域干渉フィードバックを構成し得る。広帯域干渉測定は、基地局１０５が現在送信中でないチャネル（例えば、チャネル選択のための候補チャネル、等）上で、または、基地局１０５のセカンダリセルのサイレント期間中に、ＵＥによって実行され得る。ＵＥ１１５は、免許不要周波数帯域の１つまたは複数の周波数チャネルに関する広帯域干渉メトリック（例えば、測定帯域幅にわたる平均合計受信電力またはチャネル占有率）をフィードバックし得る。基地局１０５は、ＵＥ１１５から広帯域干渉フィードバックを受け取り、候補チャネルのそれ自体の測定値およびＵＥ１１５からの広帯域干渉フィードバックに基づいてセカンダリセルに関するチャネル選択のための潜在的な周波数チャネルを特定し得る。
【００５３】
[0071]図２は、本開示の様々な態様によるワイヤレス通信環境２００の例を示す。ワイヤレス通信環境２００は、図１に関連して本明細書において説明される基地局１０５の例であり得る基地局１０５−ａを含み得る。幾つかの例において、基地局１０５−ａは、スモールセル基地局である。ワイヤレス通信環境２００は、図１に関連して本明細書において説明されるＵＥ１１５の例であり得る、基地局１０５−ａによってサービスが提供されるＵＥ１１５−ａおよび１１５−ｂを含み得る。ワイヤレス通信環境２００はまた、ＵＥ１１５−ｃおよび１１５−ｄと無線リンク２２５を使用して通信状態にあり得るＷＬＡＮアクセスポイント１５０−ａを含み得る。ＷＬＡＮアクセスポイント１５０−ａおよびＵＥ１１５−ｃおよび１１５−ｄは、基本サービスセット（ＢＳＳ）２５０の一部であり得る。ＢＳＳ２５０は、免許不要周波数帯域の周波数チャネルで動作中であり得る。ワイヤレス通信環境２００は、追加のＵＥ１１５を含み得、それは、基地局１０５−ａによってサービスが提供され得、ＢＳＳ２５０の一部であり得、または、他の無線リンクを有し得る。
【００５４】
[0072]基地局１０５−ａは、プライマリセル２２５上でＵＥ１１５−ａおよび１１５−ｂと通信し得、それは、基地局１０５−ａに関連するネットワークオペレータに免許が付与された周波数帯域内であり得る。周波数リソースの柔軟で効率的な使用を提供するために、基地局１０５−ａおよびＵＥ１１５−ａおよび１１５−ｂは、ＬＴＥ−／ＬＴＥ−Ａキャリア波形（例えば、ＬＴＥ−Ｕ）を使用して免許不要周波数帯域（例えば、ＷＬＡＮアクセスポイント１５０−ａによって使用されるのと同じ帯域）で動作するように構成され得る。免許不要周波数帯域のチャネルを利用するために、基地局１０５−ａは、免許不要周波数帯域の１つまたは複数のチャネルにセカンダリセル２３０を割り当てるためにチャネル選択を実行し得る。
【００５５】
[0073]セカンダリセル２３０に関するチャネル選択を実行するために、基地局１０５−ａは、免許不要周波数帯域のチャネル上で干渉の測定を実行し得る。しかしながら、干渉状態は、無線通信環境２００全体にわたって一致し得ない。例えば、ＷＬＡＮアクセスポイント１５０−ａおよびＵＥ１１５−ｃおよび１１５−ｄは、基地局１０５−ａによって測定される多大な干渉を引き起こすことなしに免許不要周波数帯域の１つまたは複数のチャネルを使用中であり得る。基地局１０５−ａが同じくＢＳＳ２５０によって使用中であるセカンダリセル２３０に関する免許不要周波数帯域のチャネルを選択する場合、基地局１０５−ａとＵＥ１１５−ｃまたは１１５−ｄとの間での通信は、多大な干渉を受けることがあり、チャネル上での基地局１０５−ａによる送信は、他のチャネルを送信することから退くことまたは再選択することをＢＳＳ２５０のデバイスに強制し得、それは、免許不要周波数帯域では効率的なまたは希望される共存動作ではない。
【００５６】
[0074]基地局１０５−ａは、免許不要周波数帯域の周波数チャネルに関する広帯域干渉フィードバックのためにＵＥ１１５−ａおよび１１５−ｂを構成し得る。基地局１０５−ａは、基地局１０５が現在送信中でないチャネル（例えば、チャネル選択のための候補チャネル、等）上で、または、セカンダリセル２３０のサイレント期間中に、広帯域干渉測定を実行するようにＵＥ１１５−ａおよび１１５−ｂを構成し得る。ＵＥは、免許不要周波数帯域の構成された周波数チャネルに関する干渉メトリック（例えば、測定帯域全体にわたる平均合計受信電力）をフィードバックし得る。基地局１０５−ａは、ＵＥ１１５から広帯域干渉フィードバックを受信し、セカンダリセル２３０に関する現在のチャネルおよび候補チャネルのそれ自体の測定値、および、ＵＥからの広帯域干渉フィールドに基づいてセカンダリセル２３０に関するチャネル選択のための潜在的な周波数チャネルを特定し得る。
【００５７】
[0075]図３は、本開示の様々な態様によるＵＥ支援チャネル選択に関するプロセスフロー例３００を示す。プロセスフロー３００は、例えば、図２のワイヤレス通信環境２００においてＵＥ１１５−ａおよび１１５−ｂからの広帯域干渉測定値に基づいてセカンダリセルに関する免許不要周波数帯域の周波数チャネルを選択または再選択するためのプロセスフローを示し得る。プロセスフロー３００の開始時点で、基地局１０５−ａは、プライマリセル（例えば、図２のプライマリセル２２５）を使用してＵＥ１１５−ａおよび１１５−ｂと通信中であり得る。プライマリセルは、基地局１０５−ａに関連するセルラーネットワークオペレータに免許が付与された帯域のような要免許周波数帯域の周波数を使用し得る。
【００５８】
[0076]基地局１０５−ａは、ＵＥ１１５−ａおよび１１５−ｂに広帯域干渉報告構成３０５−ａおよび３０５−ｂをそれぞれ送信することによって免許不要周波数帯域の広帯域干渉測定のためにＵＥ１１５−ａおよび１１５−ｂを構成し得る。広帯域干渉報告構成は、測定すべき周波数チャネルを特定する１つまたは複数のパラメータと、測定を実行するためのタイミングと、測定値を報告するためのタイミングと、を含み得る。幾つかの場合、広帯域干渉報告構成は、ＲＭＴＣまたはＤＲＳ機会構成を含み得る。ＤＲＳ機会構成は、ＤＭＴＣウィンドウを含み得、さらに、ＤＲＳがいつ送信されるかを示し得る。ＲＭＴＣおよび／またはＤＲＳ機会構成は、構成されたセカンダリセルおよび候補周波数上の任意のセルに対して適用し得る。幾つかの場合、ＲＭＴＣは、報告間隔において平均ＲＳＳＩおよびチャネル占有率（例えば、ＲＳＳＩがしきい値を上回り得る測定サンプルの比率）を報告するための構成を含み得る。幾つかの例において、広帯域干渉報告構成は、広帯域干渉フィードバックに関する報告期間、フィルタリングされた広帯域干渉を得るために測定された広帯域干渉をフィルタリングするためのフィルタ係数、または、広帯域干渉測定値を報告するためのトリガイベントを含み得る。
【００５９】
[0077]ＵＥ１１５−ａおよび１１５−ｂは、広帯域干渉測定３１０−ａおよび３１０−ｂをそれぞれ実行し得る。広帯域干渉測定３１０は、周波数チャネルの各々にわたる合計受信広帯域電力を測定することを含み得、それは、同時にまたは異なる（例えば、スタガード（staggered）、等）測定ウィンドウ中に測定され得る。測定は、基地局１０５−ａが測定ウィンドウ中に送信中であり得るかどうかにかかわらず実行され得る。ＵＥ１１５−ａおよび１１５−ｂは、各々の測定された周波数チャネルに関する複数の測定を（例えば、周期的に）実行し得、および、測定された広帯域干渉に関してフィルタリング３１５−ａおよび３１５−ｂを実行し得る。フィルタリングは、いずれかの適切なフィルタ（例えば、無限インパルス応答（ＩＩＲ）フィルタ、有限インパルス応答（ＦＩＲ）フィルタ、等）を使用して実行され得、および、基地局１０５−ａによって設定されたフィルタ係数により実行され得る。
【００６０】
[0078]基地局１０５−ａはまた、免許不要周波数帯域の周波数チャネル上で広帯域干渉測定３２０を実行し得、および、測定された広帯域干渉に関してフィルタリング３２５を実行し得る。
【００６１】
[0079]ＵＥ１１５−ａおよび１１５−ｂは、広帯域干渉フィードバックレポート３３０−ａおよび３３０−ｂをそれぞれ提供し得る。広帯域干渉フィードバックレポート３３０は、広帯域干渉測定のために構成された免許不要周波数帯域の周波数チャネルに関する信号強度測定値（例えば、合計受信広帯域電力）に関する情報を提供するインジケータ（例えば、ＲＳＳＩ、等）を含み得る。各ＵＥ１１５−ａおよび１１５−ｂからの単一の広帯域干渉フィードバックレポート３３０のみが示されるが、１つまたは複数の広帯域干渉フィードバックレポート３３０が周期的にまたは非周期的に提供され得る。例えば、基地局１０５−ａは、広帯域干渉レポートを周期的にフィードバックするようにＵＥ１１５−ａおよび１１５−ｂを構成し得る。
【００６２】
[0080]さらに加えてまたは代替で、広帯域干渉フィードバックレポート３３０は、基地局１０５−ａ（例えば、ダウンリンク制御情報（ＤＣＩ）内のトリガコマンド、等）によって非周期的にトリガされ得、または、報告トリガに基づいてトリガされ得る。例えば、基地局１０５−ａは、基地局１０５−ａのセカンダリセルに関する広帯域干渉測定値が第１のしきい値よりも小さいとき（Ｕ１）、セカンダリセルに関する広帯域干渉測定値が第２のしきい値よりも大きいとき（Ｕ２）、候補周波数チャネルに関する広帯域干渉測定値が第３のしきい値よりも小さいとき（Ｕ４）、候補周波数チャネルに関する広帯域干渉測定値プラスオフセットがセカンダリセルに関する広帯域干渉測定値よりも小さいとき（Ｕ３）、セカンダリセルに関する広帯域干渉がしきい値よりも高くなりおよび同時に候補チャネルが別の（例えば、より低い）しきい値よりも良いときに（Ｕ５）、および同様のときに、レポートを送信するようにＵＥ１１５−ａおよび１１５−ｂを構成し得る。幾つかの場合、ＵＥ１１５は、レポートを送信する前にトリガ状態が依然として残ることを検証するためにタイマ間隔（例えば、トリガ時間（ＴＴＴ）、等）の間待ち得る。
【００６３】
[0081]基地局１０５−ａは、免許不要周波数帯域の周波数チャネルのそれ自体の測定値およびＵＥ１１５−ａおよび１１５−ｂから受信された広帯域干渉フィードバックに基づいてチャネル選択３３５を実行し得る。基地局１０５−ａは、セカンダリセル２３０に関する免許不要周波数帯域の１つまたは複数の周波数チャネルを割り当て得、および、セカンダリセル２３０での動作のためにＵＥ１１５−ａおよび１１５−ｂを構成し得る。
【００６４】
[0082]図４Ａは、本開示の様々な態様による免許不要周波数帯域でのチャネル選択のための広帯域干渉測定に関するタイミング図例４００−ａを示す。タイミング図４００−ａは、セカンダリセル２３０−ａおよびＵＥ１１５に関する候補チャネルＣ［１］４４０−ａ乃至Ｃ［Ｎ］４４０−ｎに関する広帯域干渉測定に関するタイミング例を示す。セカンダリセル２３０−ａは、図１および図２のセカンダリセル２３０の例であり得る。候補チャネルＣ［１］４４０−ａ乃至Ｃ［Ｎ］４４０−ｎは、ＵＥに関するセカンダリセルとして構成されない免許不要周波数帯域の周波数チャネルであり得る。候補チャネルＣ［１］４４０−ａ乃至Ｃ［Ｎ］４４０−ｎは、例えば、免許不要周波数帯域でチャネル選択を実行する基地局１０５が現在使用してないまたは現在は他のＵＥに関する構成されたセカンダリセルのみとして使用しているチャネルであり得る。
【００６５】
[0083]基地局１０５は、セカンダリセル２３０−ａおよび候補チャネルＣ［１］４４０−ａ乃至Ｃ［Ｎ］４４０−ｎ上で広帯域干渉測定３１０を実行するためにＵＥ１１５を構成し得る。例えば、基地局１０５は、ＵＥ１１５に関するＤＲＸサイクルまたは測定タイミング構成に基づいてセカンダリセル２３０−ａおよび／または候補チャネル４４０に関する広帯域干渉測定を実行するためのタイミング情報を示し得る。幾つかの場合、測定タイミング構成は、セカンダリセル２３０−ａに関するＲＭＴＣまたはＤＲＳ機会構成を含み得る。ＤＲＳ機会構成は、ＤＭＴＣウィンドウを含み得、さらに、ＤＲＳがいつ送信されるかを示し得る。ＲＭＴＣおよびＤＲＳ機会構成は、構成されたセカンダリセル（例えば、セカンダリセル２３０−ａ、等）および候補チャネルＣ［１］４４０−ａ乃至Ｃ［Ｎ］４４０−ｎに適用し得る。例えば、周波数チャネル（例えば、構成されたセカンダリセルまたは候補チャネル、等）に関するＲＭＴＣは、信号強度測定期間４３５に関する周期性、信号強度測定期間４３５に関するサブフレームオフセット、および／または信号強度測定期間４３５の継続時間（例えば、シンボル期間の数、サブフレームの数、等）を示し得る。幾つかの場合、ＲＭＴＣは、報告間隔において平均ＲＳＳＩ（例えば、フィルタパラメータ、等）およびチャネル占有率（例えば、ＲＳＳＩが構成された周波数チャネルを上回り得る信号強度測定期間の測定サンプルの比率）を報告するための構成情報を含み得る。
【００６６】
[0084]幾つかの場合、基地局１０５は、セカンダリセル２３０−ａに関して信号強度測定期間４３５−ａ中に送信４２５をサイレントにする（例えば、セカンダリセル２３０−ａに割り当てられた周波数チャネル内のいずれの周波数リソース上でも送信しない）。基地局１０５が信号強度測定期間４３５−ａ中に送信をサイレントにするかまたはＵＥ１１５または他のＵＥ１１５への送信を継続するかにかかわらず、ＵＥ１１５は、干渉報告のためにセカンダリセル２３０−ａの周波数チャネル上で信号強度測定期間４３５−ａ中に広帯域測定３１０（例えば、受信信号強度測定、等）を実行し得る。
【００６７】
[0085]図４Ａにおいて示されるように、ＵＥ１１５はまた、候補チャネルＣ［１］４４０−ａ上での広帯域測定のための信号強度測定期間４３５−ｂおよび候補チャネルＣ［Ｎ］４４０−ｎ上での広帯域測定のための信号強度測定期間４３５−ｃに関して構成され得る。候補チャネル４４０上での信号強度測定期間に関する構成は、ＲＭＴＣまたはＤＲＳ機会構成を含み得る。図４Ａにおいて示されるように、異なる信号強度測定期間４３５を有する別々の測定タイミング構成を有するＵＥ１１５に関して異なる周波数（例えば、セカンダリセルまたは候補チャネル）が構成され得る。測定タイミング構成が図４Ａにおいて示されるＵＥ１１５に関して構成されていないが、候補周波数Ｃ［１］４４０−ａ乃至Ｃ［Ｎ］４４０−ｎは、他のＵＥ１１５に関する構成されたセカンダリセルであり得る。基地局１０５は、ＵＥ１１５および／または他のＵＥ１１５がチャネルに関する干渉フィードバックを提供することができるようにするために、各々の信号強度測定期間４３５中に他のＵＥに関する候補周波数Ｃ［１］４４０−ａ乃至Ｃ［Ｎ］４４０−ｎ上で構成されたセル上での（例えば、チャネルのすべての周波数リソース上での）送信をサイレントにし得る。
【００６８】
[0086]ＵＥ１１５は、構成された測定オブジェクトに関して構成された信号強度測定期間４３５中に広帯域測定３１０を実行し得る。広帯域測定３１０は、合計受信広帯域電力を測定することを含み得、および、共チャネル干渉と、隣接チャネル上での送信からの干渉と、他の干渉（例えば、熱雑音、等）と、を含み得る。ＵＥ１１５は、広帯域測定値３１０をフィルタリングし、フィルタリングされた広帯域干渉測定値３１０に基づく広帯域干渉フィードバック（例えば、ＲＳＳＩ、等）を基地局１０５に提供し得る。
【００６９】
[0087]さらに加えてまたは代替で、ＵＥ１１５に関する測定タイミング構成は、広帯域干渉測定のために使用される一組のリソース要素を提供し得る。図４Ｂは、本開示の様々な態様による免許不要周波数帯域でのチャネル選択のための広帯域干渉測定に関するタイミング図例４００−ｂを示す。タイミング図４００−ｂは、セカンダリセル２３０−ｂに関する広帯域干渉測定に関するタイミング例を示す。セカンダリセル２３０−ｂは、図１、図２、または図４Ａのセカンダリセル２３０の例であり得る。
【００７０】
[0088]基地局１０５は、免許不要周波数帯域の周波数チャネル上でセカンダリセル２３０−ｂを介してＬＴＥ−／ＬＴＥ−Ａキャリア波形４５５を使用して送信し得る。ＬＴＥ−／ＬＴＥ−Ａキャリア波形４５５は、リソースブロック４６０で割り振られ得る周波数および時間リソースを含み得る。リソースブロック４６０は、物理チャネル（例えば、ＰＤＣＣＨ、ＰＤＳＣＨ、等）に割り振られたリソースと、基準信号（例えば、ＣＲＳ、ＣＳＩ−ＲＳ、ＩＭＲ、等）と、を含み得る。物理チャネルはまた、追加の基準信号（例えば、ＵＥ−ＲＳ）を含み得る。基地局１０５は、広帯域干渉測定を実行するために割り振られたキャリア波形４５５のリソース上での送信をサイレントにし得る（例えば、広帯域干渉基準信号（ＷＢＩ−ＲＳ））。幾つかの場合、ＷＢＩ−ＲＳリソース４６５は、（例えば、特定のアンテナポート、等に割り当てられた）ＣＳＩ−ＲＳ、ＩＭＲ、またはＵＥ−ＲＳに関して割り振られたリソースの一部分であり得る。幾つかの例において、ＷＢＩ−ＲＳリソース４６５は、特定のサブフレームに関するセカンダリセル２３０−ｂの帯域幅全体にわたる１つまたは複数のシンボルの各サブキャリアを含み得る。幾つかの例において、基地局１０５は、（例えば、周期性、サブフレームオフセット、継続時間、等により構成された）構成された信号強度測定期間のみの間にＷＢＩ−ＲＳリソース４６５上での送信をサイレントにし得る。
【００７１】
[0089]図５は、本開示の様々な態様による広帯域干渉フィードバックを報告するためのタイミング図５００の例を示す。タイミング図５００は、例えば、上述されるように構成された測定オブジェクトに基づいてセカンダリセルまたは１つまたは複数の候補周波数チャネルに関する広帯域干渉フィードバックを報告することを示し得る。
【００７２】
[0090]タイミング図５００において、基地局１０５は、報告トリガに基づいてセカンダリセルおよび候補周波数チャネルに関する広帯域干渉フィードバックを報告するためにＵＥ１１５を構成し得る。セカンダリセル干渉５３０は、セカンダリセルに関するＵＥ１１５におけるフィルタリングされた広帯域受信信号強度を表し得、候補周波数干渉５４０は、候補周波数チャネルに関するＵＥ１１５におけるフィルタリングされた広帯域受信信号強度を表し得る。
【００７３】
[0091]セカンダリセル干渉５３０がしきい値ＴＳ５１０よりも大きくなったときに第１のレポート５５０（例えば、Ｕ２イベント）がトリガされ得る。候補周波数干渉５４０がしきい値ＴＣ５１５よりも小さくなったときに第２のレポート５５５（例えば、Ｕ４イベント）がトリガされ得る。候補周波数干渉５４０プラスオフセット５２０がセカンダリセル干渉５３０よりも小さくなったときに第３のレポート５６０（例えば、Ｕ３イベント）がトリガされ得る。タイミング図５００は、幾つかのトリガイベントに関するタイミングを示すにすぎず、上述されるように、他のイベントが追加のレポートをトリガし得る。
【００７４】
[0092]図６は、本開示の様々な態様による免許不要周波数帯域でのチャネル選択に関する広帯域干渉フィードバックを提供するために構成された無線デバイス６００のブロック図を示す。無線デバイス６００は、図１乃至図５に関連して説明されるＵＥ１１５の態様の例であり得る。無線デバイス６００は、受信機６０５、広帯域干渉マネージャ６１０、または送信機６１５を含み得る。無線デバイス６００はまた、プロセッサを含み得る。これらのコンポーネントの各々は、互いと通信状態にあり得る。
【００７５】
[0093]受信機６０５は、様々な情報チャネル（例えば、制御チャネル、データチャネル、および、サイレントな干渉測定に基づくＬＴＥ−Ｕ  ＲＲＭに関連する情報、等）に関連するパケット、ユーザデータ、または制御情報のような情報を受信し得る。情報６２０は、広帯域干渉マネージャ６１０に、および無線デバイス６００の他のコンポーネントに、渡され得る。例えば、情報７２０は、受信されたシグナリングまたは１つまたは複数のチャネル（例えば、セカンダリセル、候補周波数チャネル、等）を介して受信された検出された電力を含み得る。
【００７６】
[0094]広帯域干渉マネージャ６１０は、免許不要周波数帯域の１つまたは複数の周波数チャネルに関する広帯域干渉を測定して基地局に報告するための構成を特定し、１つまたは複数の周波数チャネルに関する広帯域干渉測定を実行し、１つまたは複数の周波数チャネルに関するフィルタリングされた広帯域干渉を得るために広帯域干渉測定値をフィルタリングし、および、基地局にフィルタリングされた広帯域干渉を報告し得る。
【００７７】
[0095]送信機６１５は、無線デバイス６００の他のコンポーネントから受信された信号６２５を送信し得る。幾つかの例において、送信機６１５は、トランシーバにおいて受信機６０５と共配置され得る。送信機６１５は、単一のアンテナを含み得、または、それは、複数のアンテナを含み得る。
【００７８】
[0096]図７は、本開示の様々な態様による免許不要周波数帯域でのチャネル選択のための広帯域干渉フィードバックを提供するための無線デバイス７００のブロック図を示す。無線デバイス７００は、図１乃至図６に関連して説明される無線デバイス６００またはＵＥ１１５の態様の例であり得る。無線デバイス７００は、受信機６０５−ａ、広帯域干渉マネージャ６１０−ａ、または送信機６１５−ａを含み得る。無線デバイス７００はまた、プロセッサを含み得る。これらのコンポーネントの各々は、互いと通信状態にあり得る。広帯域干渉マネージャ６１０−ａはまた、広帯域干渉フィードバック構成マネージャ７０５と、広帯域干渉測定マネージャ７１０と、広帯域干渉フィルタ７１５と、広帯域干渉レポータ７２０と、を含み得る。
【００７９】
[0097]受信機６０５−ａは、１つまたは複数のチャネル（例えば、セカンダリセル、候補周波数チャネル、等）を介して信号および干渉を受信し、広帯域干渉マネージャ６１０−ａに、または、デバイス７００の他のコンポーネントに、情報６２０−ａを渡し得る。広帯域干渉マネージャ６１０−ａは、図６に関連して本明細書において説明される動作を実行し得る。送信機６１５−ａは、無線デバイス７００の他のコンポーネントから受信された信号６２５−ａを送信し得る。
【００８０】
[0098]広帯域干渉フィードバック構成マネージャ７０５は、図２乃至図５に関連して本明細書において説明されるように免許不要周波数帯域の１つまたは複数の周波数チャネルに関する信号強度測定期間を示す測定タイミング構成を特定し得る。例えば、測定タイミング構成は、免許不要周波数帯域のチャネルの広帯域干渉を測定および報告するための１つまたは複数の測定オブジェクト（例えば、周波数チャネル、タイミングパラメータ、等）を含み得る。
【００８１】
[0099]幾つかの例において、構成は、基地局が１つまたは複数の周波数チャネルのサービス提供セル上での送信を抑制する信号強度測定期間を示すタイミング情報を備える。広帯域干渉フィードバック構成マネージャ７０５は、広帯域干渉測定マネージャ７１０に測定タイミング情報７２５を送信し得る。測定タイミング情報７２５は、例えば、図１乃至図６に関連して説明されるようにセカンダリセルまたは候補チャネルに関する受信信号強度の測定を実行するための期間を含み得る。
【００８２】
[0100]広帯域干渉測定マネージャ７１０は、図２乃至図５に関連して本明細書において説明されるように１つまたは複数の周波数チャネルに関する広帯域干渉測定を実行し得る。幾つかの例において、１つまたは複数の周波数チャネルに関する広帯域干渉測定を実行することは、１つまたは複数の周波数チャネルのサービス提供セルに関する干渉測定リソース、サービス提供セルに関して基地局によってサイレントにされたチャネル状態情報基準信号（ＣＳＩ−ＲＳ）リソース、サービス提供セルに関連する信号強度測定期間の間にサービス提供セルの帯域幅全体にわたって受信された合計電力、または、基地局によって通信のために現在使用されていない免許不要周波数帯域の候補周波数チャネルの帯域幅全体にわたって受信された合計電力のうちの１つまたは複数を測定することを備える。広帯域干渉測定マネージャ７１０は、広帯域干渉フィルタ７３５に干渉測定値７３０を送信し得る。
【００８３】
[0101]広帯域干渉フィルタ７１５は、図２乃至図５に関連して本明細書において説明されるように１つまたは複数の周波数チャネルに関するフィルタリングされた広帯域干渉を得るために広帯域干渉測定値をフィルタリングし得る。広帯域干渉フィルタ７１５は、広帯域干渉レポータ７２０にフィルタリングされた測定値７３５を送信し得る。
【００８４】
[0102]広帯域干渉レポータ７２０は、図２乃至図５に関連して本明細書において説明されるように基地局にフィルタリングされた広帯域干渉を報告し得る。報告することは、周期的に、基地局からのトリガに基づいて非周期的に、または、基地局によって構成されたトリガリングイベントに基づいて実行され得る。例えば、基地局にフィルタリングされた広帯域干渉を報告するためのトリガリングイベントは、基地局のサービス提供セルに関する広帯域干渉測定値が第１のしきい値よりも大きいこと、サービス提供セルに関する広帯域干渉測定値が第２のしきい値よりも小さいこと、基地局によって通信のために現在使用されていない免許不要周波数帯域の候補周波数チャネルに関する広帯域干渉測定値が第３のしきい値よりも小さいこと、または、候補周波数チャネルに関する広帯域干渉測定値プラスオフセットがサービス提供セルに関する広帯域干渉測定値よりも小さいことを含み得る。
【００８５】
[0103]図８は、本開示の様々な態様による免許不要周波数帯域でのチャネル選択に関する広帯域干渉フィードバックを提供するための広帯域干渉マネージャ６１０−ｂのブロック図８００を示す。広帯域干渉マネージャ６１０−ｂは、図６および図７に関連して説明される広帯域干渉マネージャ６１０の態様の例であり得る。広帯域干渉マネージャ６１０−ｂは、広帯域干渉フィードバック構成マネージャ７０５−ａと、広帯域干渉測定マネージャ７１０−ａと、広帯域干渉フィルタ７１５−ａと、広帯域干渉レポータ７２０−ａと、を含み得る。これらの要素の各々は、図７に関連して本明細書において説明される機能を実行し得る。広帯域干渉フィードバック構成マネージャ７０５−ａは、ＤＲＸ構成８０５と、ＤＲＳ機会構成８１０と、ＲＳＳＩ測定タイミング構成８１５と、広帯域干渉測定タイマ８２０と、を含み得る。ＤＲＸ構成８０５は、ＵＥ１１５のＤＲＸ動作に関連する１つまたは複数のパラメータを含み得る。ＤＲＳ機会構成８１０は、１つまたは複数のセカンダリセルに関するＤＲＳ情報とＤＭＴＣパラメータとを含み得る。ＲＳＳＩ測定タイミング構成は、１つまたは複数の周波数チャネル（例えば、構成されたセカンダリセルまたは候補周波数チャネル、等）に関する信号強度測定期間を示す１つまたは複数の組のパラメータを含み得る。
【００８６】
[0104]広帯域干渉測定タイマ８２０は、ＤＲＸ構成８０５、ＤＲＳ機会構成８１０、および／またはＲＳＳＩ測定タイミング構成８１５に少なくとも部分的に基づいて１つまたは複数の周波数チャネルに関する測定期間を特定し得る。例えば、所定の候補周波数チャネルに関する測定期間は、チャネルに関するＲＳＳＩ測定タイミング構成およびＤＲＸサイクルのＯＮ継続時間に基づいて特定され得る。広帯域干渉フィードバック構成マネージャは、広帯域干渉測定マネージャ７１０に測定期間を含むタイミング情報７２５−ａを送信し得る。
【００８７】
[0105]さらに、図７に関連して説明されるように、広帯域干渉測定マネージャ７１０−ａは、広帯域干渉フィルタ７１５−ａに干渉測定値７３０−ａを送信し得る。広帯域干渉フィルタ７１５−ａは、広帯域干渉レポータ７２０−ａにフィルタリングされた測定値７３５−ａを送信し得る。
【００８８】
[0106]図６、図７、および図８の広帯域干渉マネージャ６１０を含むデバイス６００および７００のコンポーネントは、個々にまたは全体で、ハードウェア内の適用可能な機能のうちの一部または全部を実行するように好適化された少なくとも１つＡＳＩＣとともに実装され得る。代替で、機能は、少なくとも１つのＩＣ上において、１つまたは複数の他の処理ユニット（またはコア）によって実行され得る。他の例において、他のタイプの集積回路（例えば、構造化／プラットフォームＡＳＩＣ、ＦＰＧＡ、または別の半カスタムＩＣ）が使用され得、それらは、当業界において知られるいずれかの方法でプログラミングされ得る。各ユニットの機能はまた、全体または一部分を、１つまたは複数の汎用または特定用途向けプロセッサによって実行されるようにフォーマットされたメモリにおいて具現化された命令とともに実装され得る。 [0107]図９は、本開示の様々な態様による免許不要周波数帯域でのチャネル選択のための広帯域干渉フィードバックを提供するために構成されたＵＥ１１５を含むシステム９００の概略図を示す。システム９００は、ＵＥ１１５−ｅを含み得、それは、図１、図２、図３、および図６乃至図８に関連して本明細書において説明される無線デバイス６００、無線デバイス７００、またはＵＥ１１５の例であり得る。ＵＥ１１５−ｅは、広帯域干渉マネージャ９１０を含み得、それは、図６乃至図８に関連して説明される広帯域干渉マネージャ６１０の例であり得る。ＵＥ１１５−ｅはまた、通信を送信するためのコンポーネントと通信を受信するためのコンポーネントとを含む双方向音声およびデータ通信のためのコンポーネントを含み得る。例えば、ＵＥ１１５−ｅは、基地局１０５−ｂまたはＵＥ１１５−ｆと双方向で通信し得る。
【００８９】
[0108]ＵＥ１１５−ｅはまた、プロセッサ９０５と、メモリ９１５（ソフトウェア（ＳＷ）９２０を含む）と、トランシーバ９３５と、１本または複数本のアンテナ９４０と、を含み得、それらの各々は、直接または間接的に、（例えば、バス９４５を介して）互いと通信し得る。トランシーバ９３５は、上述されるように、アンテナ９４０または無線または有線のリンクを介して、１つまたは複数のネットワークと双方向で通信し得る。例えば、トランシーバ９３５は、基地局１０５または別のＵＥ１１５と双方向で通信し得る。トランシーバ９３５は、パケットを変調して変調されたパケットを送信のためにアンテナ９４０に提供するための、および、アンテナ９４０から受信されたパケットを復調するための、モデムを含み得る。ＵＥ１１５−ｅは、単一のアンテナ９４０を含み得る一方で、ＵＥ１１５−ｅはまた、複数の無線送信物を同時に送信または受信することが可能な複数本のアンテナ９４０を有し得る。
【００９０】
[0109]メモリ９１５は、ランダムアクセスメモリ（ＲＡＭ）と、読み取り専用メモリ（ＲＯＭ）と、を含み得る。メモリ９１５は、実行されると、本明細書において説明される様々な機能（例えば、免許不要周波数帯域でのチャネル選択のために広帯域干渉フィードバックを提供すること、等）を実行することをプロセッサ９０５に行わせる命令を含む、コンピュータ可読の、コンピュータ実行可能な、ソフトウェア／ファームウェアコード９２０を格納し得る。代替で、ソフトウェア／ファームウェアコード９２０は、プロセッサ９０５によって直接実行され得ず、（例えば、コンパイルおよび実行されたときに）本明細書において説明される機能を実行することをコンピュータに行わせ得る。プロセッサ９０５は、インテリジェントなハードウェアデバイス（例えば、中央処理装置（ＣＰＵ）、マイクロコントローラ、ＡＳＩＣ、等）を含み得る。
【００９１】
[0110]図１０は、本開示の様々な態様による免許不要周波数帯域でのチャネル選択を実行するために構成された無線デバイス１０００のブロック図を示す。無線デバイス１０００は、図１乃至図９に関連して説明される基地局１０５の態様の例であり得る。無線デバイス１０００は、受信機１００５、基地局広帯域干渉マネージャ１０１０、または送信機１０１５を含み得る。無線デバイス１０００はまた、プロセッサを含み得る。これらのコンポーネントの各々は、互いと通信状態にあり得る。
【００９２】
[0111]受信機１００５は、様々な情報チャネル（例えば、制御チャネル、データチャネル、および広帯域干渉測定に関連する情報、等）と関連されたパケット、ユーザデータ、または制御情報のような情報を受信し得る。受信機１００５は、基地局広帯域干渉マネージャ１０１０に、および、無線デバイス１０００の他のコンポーネントに、情報１０２０を渡し得る。幾つかの例において、受信機１００５は、基地局１０５によってサービスが提供されるＵＥによって報告されたＵＥ広帯域干渉情報を受信し得る。
【００９３】
[0112]基地局広帯域干渉マネージャ１０１０は、免許不要周波数帯域の１つまたは複数の周波数チャネルに関する広帯域信号強度を報告するためにサービスが提供されるＵＥを構成し、ＵＥからＵＥ広帯域干渉フィードバックを受信し、１つまたは複数の周波数チャネルに関する干渉を測定することによって基地局広帯域干渉情報を決定し、および、基地局広帯域干渉情報および受信されたＵＥ広帯域干渉情報に少なくとも部分的に基づいて基地局のセカンダリセルに関する周波数チャネルを特定し得る。
【００９４】
[0113]送信機１０１５は、無線デバイス１０００の他のコンポーネントから受信された信号１０２５を送信し得る。幾つかの例において、送信機１０１５は、トランシーバにおいて受信機１００５と共配置され得る。送信機１０１５は、単一のアンテナを含み得、または、それは、複数のアンテナを含み得る。幾つかの例において、送信機１０１５は、信号強度測定期間の間セカンダリセル上での送信をサイレントにし得る。
【００９５】
[0114]図１１は、本開示の様々な態様による免許不要周波数帯域でのチャネル選択を実行するための無線デバイス１１００のブロック図を示す。無線デバイス１１００は、図１乃至図１０に関連して説明される無線デバイス１０００または基地局１０５の態様の例であり得る。無線デバイス１１００は、受信機１００５−ａ、基地局広帯域干渉マネージャ１０１０−ａ、または送信機１０１５−ａを含み得る。無線デバイス１１００はまた、プロセッサを含み得る。これらのコンポーネントの各々は、互いと通信状態にあり得る。基地局広帯域干渉マネージャ１０１０−ａはまた、チャネル選択フィードバック構成マネージャ１１０５と、セルサイレント化マネージャ１１２０と、チャネル選択測定マネージャ１１３０と、チャネル選択マネージャ１１４０と、を含み得る。
【００９６】
[0115]無線デバイス１１００のコンポーネントは、個々にまたは全体で、ハードウェア内の適用可能な機能のうちの一部または全部を実行するように好適化された少なくとも１つのＡＳＩＣとともに実装され得る。代替で、機能は、少なくとも１つのＩＣ上において、１つまたは複数の他の処理ユニット（またはコア）によって実行され得る。他の例において、他のタイプの集積回路（例えば、構造化／プラットフォームＡＳＩＣ、ＦＰＧＡ、または別の半カスタムＩＣ）が使用され得、それらは、当業界において知られるいずれかの方法でプログラミングされ得る。各ユニットの機能はまた、全体または一部分を、１つまたは複数の汎用または特定用途向けプロセッサによって実行されるようにフォーマットされたメモリにおいて具現化された命令とともに実装され得る。
【００９７】
[0116]受信機１００５−ａは、情報、例えば、パケット、ユーザデータ、または制御情報、を受信し得る。受信機１００５−ａは、基地局広帯域干渉マネージャ１０１０−ａに、および、基地局１０５の他のコンポーネントに、情報１０２０−ａを渡し得る。基地局広帯域干渉マネージャ１０１０−ａは、図１０に関連して本明細書において説明される動作を実行し得る。送信機１０１５−ａは、無線デバイス１１００の他のコンポーネントから受信された信号１０２５−ａを送信し得る。
【００９８】
[0117]チャネル選択フィードバック構成マネージャ１１０５は、図２乃至図５に関連して本明細書において説明されるように免許不要周波数帯域の１つまたは複数の周波数チャネルに関する広帯域信号強度を報告するためにＵＥ１１５を構成し得る。幾つかの例において、ＵＥを構成することは、１つまたは複数の周波数チャネルのうちの周波数チャネル（例えば、サービス提供セルまたは候補チャネル）に関する信号強度測定期間を示す構成情報（例えば、ＤＲＳ機会構成、ＲＭＴＳ、等）、免許不要周波数帯域の候補周波数チャネルを特定する周波数情報、広帯域干渉報告期間、フィルタリングされた広帯域干渉を得るために測定された広帯域干渉をフィルタリングするためのフィルタ係数、チャネル占有率しきい値、またはそれらの組み合わせのうちのいずれかをＵＥに送信することを含み得る。幾つかの例において、１つまたは複数の周波数チャネルは、基地局によって通信のために現在使用されていない免許不要周波数帯域の少なくとも１つの候補周波数チャネルを含む。チャネル選択フィードバック構成マネージャ１１０５は、（例えば、送信機１０１５−ａを介して）ＵＥ１１５に構成情報１１１０を送信し得る。チャネル選択フィードバック構成マネージャ１１０５は、セルサイレント化マネージャ１１２０に信号強度測定期間情報１１１５を送信し得る。
【００９９】
[0118]セルサイレント化マネージャ１１２０は、構成された信号強度測定期間の間サービス提供セルをサイレントにし得る。セルサイレント化マネージャ１１２０は、信号強度測定期間情報１１１５に基づいて送信機１０１５−ａをサイレントにし得、それは、割り振られたリソース（例えば、任意の数のサービス提供セル）が基地局によってサイレントにされるように指示し得る。信号強度測定期間情報１１１５は、例えば、ＤＲＳ機会構成またはＲＭＴＣに基づき得る。
【０１００】
[0119]チャネル選択測定マネージャ１１３０は、図２乃至図５に関連して本明細書において説明されるように（例えば、受信機１００５−ａを介して）１つまたは複数の周波数チャネルに関する信号強度を測定することによって基地局広帯域干渉情報を決定し得る。チャネル選択測定マネージャ１１３０は、ＵＥ１１５に送信されたタイミング情報１１１０によりＵＥ１１５によって測定ＵＥ広帯域受信信号強度情報１１２５を（例えば、受信機１００５−ａを介して）さらに受信し得る。チャネル選択測定マネージャ１１３０は、基地局広帯域干渉情報とＵＥ広帯域受信信号強度情報１１２５とを含む免許不要周波数帯域の周波数チャネルに関する干渉情報を束ね、チャネル選択マネージャ１１４０に束ねられた干渉情報１１３５を送信し得る。
【０１０１】
[0120]チャネル選択マネージャ１１４０は、束ねられた干渉情報１１３５に基づいて免許不要周波数帯域の周波数チャネルに関するチャネル選択を実行し得る。例えば、チャネル選択マネージャ１１４０は、図２乃至図５に関連して本明細書において説明されるように基地局広帯域干渉情報および受信されたＵＥ広帯域受信信号強度情報１１２５に少なくとも部分的に基づいて基地局のセカンダリセルに関する周波数チャネルを特定し得る。幾つかの例において、複数のＵＥが基地局のプライマリセルによってサービスが提供されており、セカンダリセルに関する周波数チャネルを特定することは、基地局広帯域干渉情報および受信されたＵＥ広帯域干渉情報に少なくとも部分的に基づいて最低の結合された干渉レベルまたは最強の信号強度情報を有する周波数チャネルを決定することを含み得る。
【０１０２】
[0121]図１２は、本開示の様々な態様による免許不要周波数帯域でのチャネル選択を実行するための基地局広帯域干渉マネージャ１０１０−ｂのブロック図１２００を示す。基地局広帯域干渉マネージャ１０１０−ｂは、図１０および図１１に関連して説明される基地局広帯域干渉マネージャ１０１０の態様の例であり得る。基地局広帯域干渉マネージャ１０１０−ｂは、チャネル選択フィードバック構成マネージャ１１０５−ａと、セルサイレント化マネージャ１１２０−ａと、チャネル選択測定マネージャ１１３０−ａと、チャネル選択マネージャ１１４０−ａと、を含み得る。これらの要素の各々は、図１１に関連して本明細書において説明される機能を実行し得る。基地局広帯域干渉マネージャ１０１０−ｂはまた、チャネル選択測定タイマ１２０５と、構成選択マネージャ１２１５と、を含み得る。
【０１０３】
[0122]チャネル選択測定タイマ１２０５は、信号強度測定のためにサイレントにされるべき基地局１０５のリソースを特定し得る。例えば、チャネル選択測定タイマ１２０５は、基地局１０５のサービス提供セルに関する信号強度測定期間に関するスケジュールを決定し得る。チャネル選択測定タイマ１２０５は、構成選択マネージャ１２１５に測定タイミング情報１２１０を送信し得る。
【０１０４】
[0123]構成選択マネージャ１２１５は、少なくとも１つＵＥに、基地局が図２乃至図５に関連して本明細書において説明されるようにサービス提供セルまたは１つまたは複数の周波数チャネル上での送信を抑制する信号強度測定期間を示す構成情報１１１０−ａを送信し得る。構成情報１１１０−ａは、チャネル選択測定タイマ１２０５から受信された、測定タイミング情報１２１０に基づき得る。幾つかの例において、タイミング情報１１１０−ａは、少なくとも１つのＵＥに関するＤＲＸサイクル、ＲＭＴＣのようなサービス提供セルに関する信号強度測定期間に関するタイミングを示す測定タイミング構成、または、サービス提供セルに関するＤＲＳ機会構成のうちの１つまたは複数を含み得る。ＤＲＳ機会構成は、ＤＭＴＣウィンドウを含み得、および、ＤＲＳがいつ送信されるかを示し得る。ＲＭＴＣおよびＤＲＳ機会構成は、構成されたセカンダリセルおよび任意の候補周波数によって特定され得る。幾つかの場合、ＲＭＴＣは、報告間隔において平均ＲＳＳＩおよびチャネル占有率（例えば、ＲＳＳＩがしきい値を上回り得る測定サンプルの比率）を報告するための構成を含み得る。チャネル選択フィードバック構成マネージャ１１０５−ａは、上述されるように構成情報１１１０−ａをコンパイルし、セルサイレント化マネージャ１１２０−ａに信号強度測定期間情報１１１５−ａを送信し得る。
【０１０５】
[0124]セルサイレント化マネージャ１１２０−ａは、図１０および図１１に関連して説明されるように対応する信号強度測定期間中に基地局１０５のサービス提供セルのうちのいずれかをサイレントにし得る。セルサイレント化マネージャ１１２０−ａは、信号強度測定期間情報１１１５−ａに基づいて周波数をサイレントにし得る。
【０１０６】
[0125]チャネル選択測定マネージャ１１３０−ａは、図１０および図１１に関連して本明細書において説明されるように基地局広帯域干渉情報を決定するために（例えば、受信機１００５を介して）ＵＥ広帯域受信信号強度情報１１２５−ａを受信し得る。チャネル選択測定マネージャ１１３０−ａは、チャネル選択マネージャ１１４０−ａに束ねられた干渉情報１１３５−ａを送信し得る。チャネル選択マネージャ１１４０−ａは、図１０および図１１に関連して本明細書において説明されるように免許不要周波数帯域の周波数チャネルに関するチャネル選択を実行し得る（例えば、サービスが提供されるＵＥに関するセカンダリセルとしていずれのチャネルを使用すべきであるかを選択する）。
【０１０７】
[0126]図１０、図１１、および図１２の基地局広帯域干渉マネージャ１０１０を含む無線デバイス１０００および１１００の構成は、個々にまたは全体で、ハードウェア内の適用可能な機能のうちの一部または全部を実行するように好適化された少なくとも１つのＡＳＩＣとともに実装され得る。代替で、機能は、少なくとも１つのＩＣ上において、１つまたは複数の他の処理ユニット（またはコア）によって実行され得る。他の例において、他のタイプの集積回路（例えば、構造化／プラットフォームＡＳＩＣ、ＦＰＧＡ、または別の半カスタムＩＣ）が使用され得、それらは、当業界において知られるいずれかの方法でプログラミングされ得る。各ユニットの機能はまた、全体または一部分を、１つまたは複数の汎用または特定用途向けプロセッサによって実行されるようにフォーマットされたメモリにおいて具現化された命令とともに実装され得る。
【０１０８】
[0127]図１３は、本開示の様々な態様による免許不要周波数帯域でのチャネル選択を実行するために構成された基地局１０５−ｃを含むシステム１３００を示す。基地局１０５−ｃは、図１、図２、図３、および図１０乃至図１２に関連して本明細書において説明される無線デバイス１０００、無線デバイス１１００、または基地局１０５の例であり得る。基地局１０５−ｃは、基地局広帯域干渉マネージャ１３１０を含み得、それは、図１０乃至図１２に関連して説明される基地局広帯域干渉マネージャ１０１０の例であり得る。基地局１０５−ｃは、通信を送信するためのコンポーネントと通信を受信するためのコンポーネントとを含む双方向音声およびデータ通信のためのコンポーネントを含み得る。例えば、基地局１０５−ｃは、ＵＥ１１５−ｇおよび１１５−ｈと双方向で通信し得る。
【０１０９】
[0128]幾つかの場合、基地局１０５−ｃは、１つまたは複数の有線バックホールリンクを有し得る。基地局１０５−ｃは、コアネットワーク１３０−ａへの有線バックホールリンク（例えば、Ｓ１インタフェース、等）を有し得る。基地局１０５−ｃはまた、基地局間バックホールリンク（例えば、Ｘ２インタフェース）を介して基地局１０５−ｍおよび基地局１０５−ｎのような他の基地局１０５と通信し得る。基地局１０５の各々は、同じまたは異なるワイヤレス通信技術を使用してＵＥ１１５と通信し得る。幾つかの場合、基地局１０５−ｃは、基地局通信マネージャ１３２５を利用して１０５−ｍまたは１０５−ｎのような他の基地局と通信し得る。幾つかの例において、基地局通信マネージャ１３２５は、基地局１０５のうちの一部の間での通信を提供するためにＬＴＥ／ＬＴＥ−Ａワイヤレス通信ネットワーク技術内のＸ２インタフェースを提供し得る。幾つかの例において、基地局１０５−ｃは、コアネットワーク１３０−ａを通じて他の基地局と通信し得る。幾つかの場合、基地局１０５−ｃは、ネットワーク通信マネージャ１３３０を通じてコアネットワーク１３０−ａと通信し得る。
【０１１０】
[0129]基地局１０５−ｃは、プロセッサ１３０５と、メモリ１３１５（ソフトウェア（ＳＷ）１３２０を含む）と、トランシーバ１３３５と、アンテナ１３４０と、を含み得、それらの各々は、直接または間接的に、（例えば、バスシステム１３４５を通じて）互いと通信し得る。トランシーバ１３３５は、アンテナ１３４０を介して、マルチモードデバイスであり得るＵＥ１１５と双方向で通信するように構成され得る。トランシーバ１３３５（または、基地局１０５−ｃの他のコンポーネント）はまた、アンテナ１３４０を介して、１つまたは複数の他の基地局（示されていない）と双方向で通信するように構成され得る。トランシーバ１３３５は、パケットを変調して変調されたパケットを送信のためにアンテナ１３４０に提供するように、および、アンテナ１３４０から受信されたパケットを復調するように構成されたモデムを含み得る。基地局１０５−ｃは、１本または複数本の関連されたアンテナ１３４０を各々有する複数のトランシーバ１３３５を含み得る。トランシーバは、図１０の結合された受信機１００５および送信機１０１５の例であり得る。
【０１１１】
[0130]メモリ１３１５は、ＲＡＭと、ＲＯＭと、を含み得る。メモリ１３１５はまた、実行されると、本明細書において説明される様々な機能（例えば、免許不要周波数帯域でのチャネル選択を実行すること、セッション処理、データベース管理、メッセージルーティング、等）を実行することをプロセッサ１３１０に行わせるように構成される命令を含む、コンピュータ可読の、コンピュータ実行可能な、ソフトウェアコード１３２０を格納し得る。代替で、ソフトウェア１３２０は、プロセッサ１３０５によって直接実行され得ず、例えばコンパイルおよび実行されたときに、本明細書において説明される機能を実行することをコンピュータに行わせるように構成され得る。プロセッサ１３０５は、インテリジェントなハードウェアデバイス、例えば、ＣＰＵ、マイクロコントローラ、ＡＳＩＣ、等を含み得る。プロセッサ１３０５は、エンコーダ、待ち行列処理構成、ベースバンドプロセッサ、無線ヘッドコントローラ、デジタル信号プロセッサ（ＤＳＰ）、および同様の物のような様々な専用プロセッサを含み得る。
【０１１２】
[0131]基地局通信マネージャ１３２５は、他の基地局１０５との通信を管理し得る。通信マネージャは、他の基地局１０５と協働してＵＥ１１５との通信を制御するためのコントローラまたはスケジューラを含み得る。例えば、基地局通信マネージャ１３２５は、ビームフォーミングまたは共同送信のような様々な干渉軽減技法に関してＵＥ１１５への送信のためのスケジューリングを調整し得る。
【０１１３】
[0132]図１４は、本開示の様々な態様による免許不要周波数帯域でのチャネル選択のための広帯域干渉フィードバックを提供するための方法１４００を示したフローチャートを示す。方法１４００の動作は、図１乃至図１３に関連して説明されるようにＵＥ１１５またはそれのコンポーネントによって実装され得る。例えば、方法１４００の動作は、図６乃至図９に関連して説明されるように広帯域干渉マネージャ６１０によって実行され得る。幾つかの例において、ＵＥ１１５は、以下において説明される機能を実行するためにＵＥ１１５の機能上の要素を制御するために一組のコードを実行し得る。さらに加えてまたは代替で、ＵＥ１１５は、専用ハードウェアを使用して以下において説明される機能の態様を実行し得る。
【０１１４】
[0133]ブロック１４０５において、ＵＥ１１５は、図２乃至図５に関連して本明細書において説明されるように広帯域干渉報告構成を特定し得る。幾つかの場合、構成は、周波数チャネル（例えば、セカンダリセル、候補チャネル、等）の特定と、基地局が周波数チャネル上での送信を抑制する信号強度測定期間を示すタイミング情報と、を備える。図２乃至図５に関連して説明されるように、タイミング情報は、ＵＥに関するＤＲＸサイクル、信号強度測定期間に関するタイミングを示す測定タイミング構成（例えば、ＲＭＴＣ）、または、セルに関するＤＲＳ機会構成のうちの１つまたは複数を含み得る。ＤＲＳ機会構成は、ＤＭＴＣウィンドウを含み得、および、ＤＲＳがいつ送信されるかを示し得る。各ＲＭＴＣおよび／またはＤＲＳ機会構成は、構成されたセカンダリセルまたは候補周波数と関連され得る。幾つかの場合、ＲＭＴＣは、報告間隔において平均ＲＳＳＩおよびチャネル占有率（例えば、ＲＳＳＩがしきい値を上回り得る測定サンプルの比率）を報告するための構成を含み得る。例えば、ＲＭＴＣがセカンダリセルに関して提供される場合は、ＵＥ１１５は、ＲＭＴＣによって構成された信号強度測定期間中は基地局がセルのいずれのリソース上でも送信中でないと仮定し得る。信号強度測定期間に加えてまたは代替で、ＵＥ１１５は、（例えば、図４Ｂに関連して説明されるように）タイミング情報に基づいて干渉測定のために割り振られたリソース（例えば、１つまたは複数のリソース要素またはシンボル期間）を決定し得る。広帯域干渉報告構成はまた、広帯域信号強度（例えば、フィルタパラメータ、周期的報告間隔、等）をフィルタリングまたは報告するための情報を含み得る。幾つかの例において、ブロック１４０５の動作は、図７に関連して説明されるように広帯域干渉フィードバック構成マネージャ７０５によって実行され得る。
【０１１５】
[0134]ブロック１４１０において、ＵＥ１１５は、タイミング情報に少なくとも部分的に基づいて１つまたは複数の周波数チャネルに関する信号強度測定リソースを決定し得る。例えば、ＵＥ１１５は、ＲＭＴＣによって構成された信号強度測定期間の１つまたは複数の時間間隔（例えば、シンボル期間、サブフレーム、等）中に周波数チャネル上で広帯域信号強度測定が実行されることができると決定し得る。幾つかの例において、ブロック１４１０の動作は、図８に関連して本明細書において説明される広帯域干渉タイマ８０５によって実行され得る。
【０１１６】
[0135]ブロック１４１５において、ＵＥ１１５は、図２乃至図５に関連して説明されように１つまたは複数の周波数チャネルに関する広帯域信号強度測定を実行し得る。幾つかの例において、ブロック１４１５の動作は、図７に関連して本明細書において説明される広帯域干渉測定マネージャ７１０によって実行され得る。
【０１１７】
[0136]ブロック１４２０において、ＵＥ１１５は、図２乃至図５に関連して本明細書において説明されるように広帯域信号強度測定値をフィルタリングし得る。フィルタリングすることは、広帯域干渉報告構成で受信されたパラメータにより実行され得る。幾つかの例において、ブロック１４２０の動作は、図７に関連して本明細書において説明されるように広帯域干渉フィルタ７１５によって実行され得る。
【０１１８】
[0137]ブロック１４２５において、ＵＥ１１５は、図２乃至図５に関連して本明細書において説明されるように基地局１０５にフィルタリングされた広帯域干渉を報告し得る。幾つかの例において、ブロック１４２５の動作は、図７に関連して本明細書において説明されるように広帯域干渉レポータ７２０によって実行され得る。
【０１１９】
[0138]図１５は、本開示の様々な態様による免許不要周波数帯域でのチャネル選択のための広帯域干渉フィードバックを提供するための方法１５００を示したフローチャートを示す。方法１５００の動作は、図１乃至図１３に関連して説明されるようにＵＥ１１５またはそれの構成によって実装され得る。例えば、方法１５００の動作は、図６乃至図９に関連して説明されるように広帯域干渉マネージャ６１０によって実行され得る。幾つかの例において、ＵＥ１１５は、以下において説明される機能を実行するためにＵＥ１１５の機能上の要素を制御するために一組のコードを実行し得る。さらに加えてまたは代替で、ＵＥ１１５は、専用ハードウェアを使用して以下において説明される機能の態様を実行し得る。方法１５００はまた、図１４の方法１４００の態様を組み込み得る。
【０１２０】
[0139]ブロック１５０５において、ＵＥ１１５は、図２乃至図５および図１４のブロック１４０５に関連して本明細書において説明されるように広帯域干渉報告構成を特定し得る。幾つかの実施形態において、広帯域干渉報告構成は、免許不要周波数帯域の周波数チャネルの広帯域信号強度を報告するためのトリガリングイベントを含み得る。幾つかの例において、ブロック１５０５の動作は、図７に関連して本明細書において説明されるように広帯域干渉フィードバック構成マネージャ７０５によって実行され得る。
【０１２１】
[0140]ブロック１５１０において、ＵＥ１１５は、図２乃至図５および図１４のブロック１４１０および１４１５に関連して本明細書において説明されるように１つまたは複数の周波数チャネルに関する広帯域信号強度測定を実行し得る。幾つかの例において、ブロック１５１０の動作は、図７に関連して本明細書において説明されるように広帯域干渉測定マネージャ７１０によって実行され得る。
【０１２２】
[0141]ブロック１５１５において、ＵＥ１１５は、図２乃至図５および図１４のブロック１４２０に関連して本明細書において説明されるように１つまたは複数の周波数チャネルに関するフィルタリングされた広帯域信号強度を得るために広帯域干渉信号強度をフィルタリングし得る。幾つかの例において、ブロック１５１５の動作は、図７に関連して本明細書において説明されるように広帯域干渉フィルタ７１５によって実行され得る。
【０１２３】
[0142]ブロック１５２０において、ＵＥ１１５は、図２乃至図５に関連して本明細書において説明されるように基地局１０５にフィルタリングされた広帯域干渉を報告することをトリガする報告イベントを特定し得る。幾つかの場合、広帯域信号強度ｅの報告は、基地局１０５のサービス提供セルに関する広帯域信号強度測定値が第１のしきい値よりも大きいこと、サービス提供セルに関する広帯域信号強度測定値が第２のしきい値よりも小さいこと、基地局１０５によって通信のために現在使用されていない免許不要周波数帯域の候補周波数チャネルに関する広帯域信号強度測定値が第３のしきい値よりも小さいこと、または、候補周波数チャネルに関する広帯域信号強度測定値プラスオフセットがサービス提供セルに関する広帯域信号強度測定値よりも小さいことによってトリガされ得る。幾つかの例において、ブロック１５２０の動作は、図７に関連して本明細書において説明されるように広帯域信号強度フィードバック構成マネージャ７０５によって実行され得る。
【０１２４】
[0143]ブロック１５２０においてトリガリングイベントが検出された場合、ＵＥ１１５は、ブロック１５２５において基地局にフィルタリングされた広帯域信号強度を報告し得る。ブロック１５２０においてトリガリングイベントが検出されない場合、ＵＥ１１５は、ブロック１５１０において広帯域信号強度測定を実行することを継続し得る。幾つかの例において、ブロック１５２５の動作は、図７に関連して本明細書において説明されるように広帯域干渉レポータ７２０によって実行され得る。
【０１２５】
[0144]図１６は、本開示の様々な態様による免許不要周波数帯域でのチャネル選択を実行するための方法１６００を示したフローチャートを示す。方法１６００の動作は、図１乃至図１３に関連して説明されるように基地局１０５またはそれのコンポーネントによって実装され得る。例えば、方法１６００の動作は、図１０乃至図１３に関連して説明されるように基地局広帯域干渉マネージャ１０１０によって実行され得る。幾つかの例において、基地局１０５は、以下において説明される機能を実行するために基地局１０５の機能上の要素を制御するために一組のコードを実行し得る。さらに加えてまたは代替で、基地局１０５は、専用ハードウェアを使用して以下において説明される機能の態様を実行し得る。
【０１２６】
[0145]ブロック１６０５において、基地局１０５は、図２乃至図５に関連して本明細書において説明されるように免許不要周波数帯域の１つまたは複数の周波数チャネルに関する広帯域干渉を報告するためにサービスが提供されるＵＥ１１５を構成し得る。例えば、図２乃至図５に関連して本明細書において説明されるように、基地局１０５は、サービスが提供されるＵＥ１１５に、基地局１０５が１つまたは複数の周波数チャネルのサービス提供セル上での送信を抑制する信号強度測定期間を示すタイミング情報を送信し得る。幾つかの例において、ブロック１６０５の動作は、図１１または図１２に関連して本明細書において説明されるようにチャネル選択フィードバック構成マネージャ１１０５によって実行され得る。
【０１２７】
[0146]ブロック１６１０において、基地局１０５は、図２乃至図５に関連して本明細書において説明されるように信号強度測定期間の間サービス提供セル上での送信をサイレントにし得る。幾つかの場合、基地局１０５は、対応する信号強度測定期間の間任意の数のサービス提供セルをサイレントにし得る。幾つかの例において、ブロック１６１０の動作は、図１１に関連して本明細書において説明されるようにセルサイレント化マネージャ１１２０によって実行され得る。
【０１２８】
[0147]ブロック１６１５において、基地局１０５は、図２乃至図５に関連して本明細書において説明されるように少なくとも１つＵＥによって報告されたＵＥ広帯域信号強度情報を受信し得る。ＵＥ広帯域信号強度情報は、サービス提供セルおよび／または候補周波数チャネルに関する信号強度のインジケータ（例えば、ＲＳＳＩ）を含み得る。幾つかの例において、ブロック１６１５の動作は、図１０に関連して本明細書において説明されるように受信機１００５によって実行され得る。
【０１２９】
[0148]ブロック１６２０において、基地局１０５は、図２乃至図５に関連して本明細書において説明されるように１つまたは複数の周波数チャネルに関する信号強度を測定することによって基地局広帯域信号強度情報を決定し得る。幾つかの例において、ブロック１６２０の動作は、図１１に関連して本明細書において説明されるようにチャネル選択測定マネージャ１１３０によって実行され得る。
【０１３０】
[0149]ブロック１６２５において、基地局１０５は、図２乃至図５に関連して本明細書において説明されるように基地局広帯域信号強度情報および受信されたＵＥ広帯域信号強度情報に少なくとも部分的に基づいて基地局１０５のセカンダリセルに関する周波数チャネルを選択し得る。幾つかの例において、ブロック１６２５の動作は、図１１に関連して本明細書において説明されるようにチャネル選択マネージャ１１４０によって実行され得る。
【０１３１】
[0150]以上のように、方法１４００、１５００、および１６００は、免許不要周波数帯域でのＵＥ支援チャネル選択を提供し得る。方法１４００、１５００、および１６００は、可能な実装について説明すること、および、動作およびステップは他の実装が可能であるように再アレンジまたは他の方法で変更され得ることが注記されるべきである。幾つかの例において、方法１４００、１５００、および１６００のうちの２つ以上からの態様は、結合され得る。
【０１３２】
[0151]添付された図面に関連して上において示される詳細な説明は、例示的な構成について説明するものであり、実装され得るまたは請求項の範囲内にあるすべての例を表すものではない。この説明全体を通じて使用される用語「例示的な」は、「例、実例、または例示として働くこと」を意味し、「好ましい」または「他の例よりも有利である」ことは意味しない。詳細な説明は、説明される技法の理解を提供することを目的とした具体的な詳細を含む。しかしながら、これらの技法は、これらの具体的な詳細なしで実行され得る。幾つかの例において、周知の構造およびデバイスは、説明される例の概念を不明瞭にすることを回避するためにブロック図の形で示される。
【０１３３】
[0152]情報および信号は、様々な異なる技術および技法のうちのいずれかを使用して表され得る。例えば、上記の説明全体を通じて参照されることがあるデータ、命令、コマンド、情報、信号、ビット、シンボル、およびチップは、電圧、電流、電磁波、磁場、磁粒子、光学場、光学粒子、またはそれらの任意の組合せによって表され得る。
【０１３４】
[0153]本明細書における開示に関連して説明される様々な例示的なブロックおよび構成は、本明細書において説明される機能を実行するように設計された汎用プロセッサ、ＤＳＰ、ＡＳＩＣ、ＦＰＧＡ、他のプログラマブル論理デバイス、ディスクリートゲート論理、ディスクリートトランジスタ論理、ディスクリートハードウェアコンポーネント、またはそれらの任意組合せを使用して実装または実行され得る。汎用プロセッサは、マイクロプロセッサであり得るが、代替においては、プロセッサは、任意の従来のプロセッサ、コントローラ、マイクロコントローラ、またはステートマシンであり得る。プロセッサはまた、コンピューティングデバイスの組合せ（例えば、ＤＳＰと、１つのマイクロプロセッサとの組合せ、複数のマイクロプロセッサとの組合せ、ＤＳＰコアと関連する１つまたは複数のマイクロプロセッサとの組合せ、または任意の他のそのような構成）として実装され得る。 [0154]本明細書において説明される機能は、ハードウェア、プロセッサによって実行されるソフトウェア、ファームウェア、またはそれらの任意の組み合わせに実装され得る。プロセッサによって実行されるソフトウェアに実装される場合は、それらの機能は、１つまたは複数の命令またはコードとしてコンピュータ可読媒体において格納され得またはコンピュータ可読媒体を通じて送信され得る。他の例および実装は、本開示および添付された請求項の範囲内にある。例えば、ソフトウェアの性質に起因して、上述される機能は、プロセッサによって実行されるソフトウェア、ハードウェア、ファームウェア、ハードワイヤリング、またはこれらのいずれかの組み合わせを使用して実装されることができる。機能を実装する特徴はまた、様々な位置に物理的に配置され得、機能の一部分が異なる物理的場所において実装されるようにするために分散されることを含む。さらに、請求項内を含む本明細書において使用される場合、項目のリスト（例えば、「〜のうちの少なくとも１つ」または「〜のうちの１つまたは複数の」のような句によって始まる項目のリスト）において使用される「または」は、包含的リストを示し、従って、例えば、［Ａ、Ｂ、またはＣのうちの少なくとも１つ］のリストは、ＡまたはＢまたはＣまたはＡＢまたはＡＣまたはＢＣまたはＡＢＣ（すなわち、ＡおよびＢおよびＣ）を意味する。
【０１３５】
[0155]コンピュータ可読媒体は、非一時的なコンピュータ記憶媒体と、１つの場所から他へのコンピュータプログラムの転送を容易にする任意の媒体を含む通信媒体との両方を含む。非一時的な記憶媒体は、汎用または専用コンピュータによってアクセスされることができる任意の利用可能な媒体であり得る。例として、および限定することなしに、非一時的なコンピュータ可読媒体は、ＲＡＭ、ＲＯＭ、電気的消去可能プログラマブル読み取り専用メモリ（ＥＥＰＲＯＭ（登録商標））、コンパクトディスク（ＣＤ）ＲＯＭまたは他の光学ディスクストレージ、磁気ディスクストレージまたは他の磁気記憶デバイス、または、希望されるプログラムコード手段を命令またはデータ構造の形態で搬送または格納するために使用されることができおよび汎用または専用コンピュータ、または汎用または専用プロセッサによってアクセスされることができる任意の他の非一時的な媒体、を備えることができる。さらに、任意の接続は、コンピュータ可読媒体であると適切に呼ばれる。例えば、ソフトウェアが、同軸ケーブル、光ファイバケーブル、より対線、デジタル加入者ライン（ＤＳＬ）、または、赤外線、無線、およびマイクロ波のような無線技術を使用してウェブサイト、サーバ、または他の遠隔ソースから送信される場合、同軸ケーブル、光ファイバケーブル、より対線、ＤＳＬは、または、赤外線、無線、およびマイクロ波のような無線技術は、媒体の定義の中に含まれる。本明細書において用いられるときのディスク（ｄｉｓｋおよびｄｉｓｃ）は、ＣＤ（ｄｉｓｃ）と、レーザーディスク（登録商標）（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ブルーレイディスク（ｄｉｓｃ）と、を含み、ここで、ｄｉｓｋは通常は磁気的にデータを再生し、ｄｉｓｃは、レーザを用いて光学的にデータを再生する。上記の組み合わせも、コンピュータ可読媒体の適用範囲内に含められる。 [0156]本開示の前の説明は、当業者が本開示を製造または使用することを可能にするために提供される。本開示に対する様々な変更は、当業者にとって容易に明確になるであろう、および本明細書において定められる一般原理は、本開示の適用範囲から逸脱することなしに他の変形に対して適用され得る。以上のように、本開示は、本明細書において説明される例および設計に限定されるものではなく、本明細書において開示される原理および新規の特徴に一致する限りにおいて最も広範な適用範囲が認められるべきである。
【０１３６】
[0157]本明細書において説明される技法は、符号分割多元接続（ＣＤＭＡ）、時分割多元接続（ＴＤＭＡ）、周波数分割多元接続（ＦＤＭＡ）、ＯＦＤＭＡ、ＳＣ−ＦＤＭＡおよび他のシステムのような様々なワイヤレス通信システムに関して使用され得る。用語「システム」および「ネットワーク」は、互換可能な形でしばしば使用される。ＣＤＭＡシステムは、ＣＤＭＡ２０００、ユニバーサル地上無線アクセス（ＵＴＲＡ）、等のような無線技術を実装し得る。ＣＤＭＡ２０００は、ＩＳ−２０００、ＩＳ−９５、およびＩＳ−８５６規格を網羅する。ＩＳ−２０００リリース０およびＡは、ＣＤＭＡ２０００  １Ｘ、１Ｘ、等と共通して呼ばれ得る。ＩＳ−８５６（ＴＩＡ−８５６）は、ＣＤＭＡ２０００  １ｘＥＶ−ＤＯ、高レートパケットデータ（ＨＲＰＤ）、等と共通して呼ばれる。ＵＴＲＡは、ワイドバンドＣＤＭＡ（ＷＣＤＭＡ（登録商標））と、ＣＤＭＡの他の変形と、を含む。ＴＤＭＡシステムは、グローバル移動通信システム（ＧＳＭ（登録商標））のような無線技法を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ、等のような無線技術を実装し得る。ＵＴＲＡおよびＥ−ＵＴＲＡは、ユニバーサル移動通信システム（ＵＭＴＳ）の一部である。３ＧＰＰロングタームエボリューション（ＬＴＥ）およびＬＴＥ−Ａｄｖａｎｃｅｄ（ＬＴＥ−Ａ）は、Ｅ−ＵＴＲＡを使用するユニバーサル移動通信システム（ＵＭＴＳ）の新しいリリースである。ＵＴＲＡ、Ｅ−ＵＴＲＡ、ＵＭＴＳ、ＬＴＥ、ＬＴＥ−Ａ、およびグローバル移動通信システム（ＧＳＭ）は、「第３世代パートナーシッププロジェクト」（３ＧＰＰ）という名称の団体からの文書において説明される。ＣＤＭＡ２０００およびＵＭＢは、「第３世代パートナーシッププロジェクト２」（３ＧＰＰ２）という名称の団体からの文書において説明される。本明細書において説明される技法は、上記のシステムおよび無線技術、さらには他のシステムおよび無線技術に関して使用され得る。しかしながら、上の説明は、例の目的のためにＬＴＥシステムについて説明し、上の説明の多くではＬＴＥ用語が使用されるが、技法は、ＬＴＥ適用例を越えて適用可能である。
【図１】
2020162125.tif 000003
【図２】
2020162125.tif 000004
【図３】
2020162125.tif 000005
【図４Ａ】
2020162125.tif 000006
【図４Ｂ】
2020162125.tif 000007
【図５】
2020162125.tif 000008
【図６】
2020162125.tif 000009
【図７】
2020162125.tif 000010
【図８】
2020162125.tif 000011
【図９】
2020162125.tif 000012
【図１０】
2020162125.tif 000013
【図１１】
2020162125.tif 000014
【図１２】
2020162125.tif 000015
【図１３】
2020162125.tif 000016
【図１４】
2020162125.tif 000017
【図１５】
2020162125.tif 000018
【図１６】
2020162125.tif 000019
【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ機器（ＵＥ）において、基地局にチャネル選択支援のための受信信号強度インジケータ（ＲＳＳＩ）を報告するための構成を特定すること、ここにおいて、前記構成は、１つまたは複数の対応する周波数チャネル上でのＲＳＳＩの測定を実行するための１つまたは複数の測定ウィンドウおよびＲＳＳＩの測定値を報告するための報告期間を備える、と、
前記１つまたは複数の測定ウィンドウ中に前記１つまたは複数の周波数チャネルに関する受信電力の広帯域測定を実行すること、  前記１つまたは複数の各周波数チャネルに関する前記測定された受信電力は、前記１つまたは複数の各周波数チャネル上での合計の共チャネル干渉を備える、と、
前記１つまたは複数の周波数チャネルに関する各々のＲＳＳＩを得るために前記広帯域測定の値をフィルタリングすることと、
前記報告期間により前記基地局に前記各々のＲＳＳＩを報告することと、を備える、
方法。
【請求項２】
前記１つまたは複数の測定ウィンドウは、前記１つまたは複数の周波数チャネル上での前記基地局による送信にかかわらず前記広帯域測定が実行されるとき、時間間隔を備える、
請求項１に記載の方法。
【請求項３】
前記構成は、前記ＵＥに関する不連続受信（ＤＲＸ）サイクル、前記１つまたは複数の測定ウィンドウに関するタイミングを示す測定タイミング構成、またはセルに関する発見基準信号（ＤＲＳ）構成、のうちの１つまたは複数を備える、
請求項１に記載の方法。
【請求項４】
前記１つまたは複数の測定ウィンドウ中に前記１つまたは複数の周波数チャネルに関する前記広帯域測定を前記実行することは、サービス提供セルの帯域幅全体にわたって受信された合計電力、または前記ＵＥへの通信のために現在使用されていない前記１つまたは複数の周波数チャネルの候補周波数チャネルの帯域幅全体にわたって受信された合計電力、のうちの１つまたは複数を測定することを備える、
請求項１に記載の方法。
【請求項５】
前記基地局のサービス提供セルに関する広帯域受信電力測定値が第１のしきい値よりも大きいこと、前記サービス提供セルに関する前記広帯域受信電力測定値が第２のしきい値よりも小さいこと、前記基地局によって通信のために現在使用されていない前記１つまたは複数の周波数チャネルの候補周波数チャネルに関する広帯域受信電力測定値が第３のしきい値よりも小さいこと、または、前記候補周波数チャネルに関する前記広帯域受信電力測定値プラスオフセットが前記サービス提供セルに関する前記広帯域受信電力測定値よりも小さいこと、のうちの１つまたは複数を備える、報告イベントを特定することと、
前記報告イベントを特定することに少なくとも部分的に基づいて、前記基地局に前記各々のＲＳＳＩを報告すること、
をさらに備える、
請求項１に記載の方法。
【請求項６】
前記ＲＳＳＩを報告するための前記構成は、前記広帯域測定を実行するための１組のリソースの指示を備える、
請求項１に記載の方法。
【請求項７】
前記１つまたは複数の周波数チャネルは、前記基地局によって通信のために現在使用されていない１つまたは複数の候補周波数チャネルを備える、
請求項１に記載の方法。
【請求項８】
前記１つまたは複数の周波数チャネルは、免許不要周波数帯域の１つまたは複数のチャネルを備える、
請求項１に記載の方法。
【請求項９】
ワイヤレス通信のための装置であって、
プロセッサと、
前記プロセッサと電子的通信状態にあるメモリと、
メモリに格納された命令と、を備え、前記命令は、前記プロセッサによって実行されるとき、前記装置に、
ユーザ機器（ＵＥ）において、基地局にチャネル選択支援のための受信信号強度インジケータ（ＲＳＳＩ）を報告するための構成を特定すること、ここにおいて、前記構成は、１つまたは複数の対応する周波数チャネル上でＲＳＳＩの測定を実行するための１つまたは複数の測定ウィンドウ、およびＲＳＳＩの測定値を報告するための報告期間を備える、と、
１つまたは複数の測定ウィンドウ中に前記１つまたは複数の周波数チャネルに関する受信電力の広帯域測定を実行すること、前記１つまたは複数の各周波数チャネルに関する前記測定された受信電力は、前記１つまたは複数の各周波数チャネル上の合計の共チャネル干渉を備える、と、
前記１つまたは複数の周波数チャネルに関する各々のＲＳＳＩを得るために前記広帯域測定の値をフィルタリングすることと、
前記報告期間により前記基地局に前記各々のＲＳＳＩを報告することと、
を行わせるように動作可能である、装置。
【請求項１０】
前記１つまたは複数の測定ウィンドウは、前記１つまたは複数の周波数チャネル上での前記基地局による送信にかかわらず前記広帯域測定が実行されるとき、時間間隔を備える、
請求項９に記載の装置。
【請求項１１】
前記構成は、前記ＵＥに関する不連続受信（ＤＲＸ）サイクル、前記１つまたは複数の測定ウィンドウに関するタイミングを示す測定タイミング構成、またはセルに関する発見基準信号（ＤＲＳ）構成、のうちの１つまたは複数を備える、
請求項９に記載の装置。
【請求項１２】
前記命令は、前記装置に、
サービス提供セルの帯域幅全体にわたって受信された合計電力、または前記ＵＥへの通信のために現在使用されていない前記１つまたは複数の周波数チャネルの候補周波数チャネルの帯域幅全体にわたって受信された合計電力、のうちの１つまたは複数を測定すること
を行わせるように前記プロセッサによってさらに実行可能である、
請求項９に記載の装置。
【請求項１３】
前記命令は、前記装置に、
前記基地局のサービス提供セルに関する広帯域受信電力測定値が第１のしきい値よりも大きいこと、前記サービス提供セルに関する前記広帯域受信電力測定値が第２のしきい値よりも小さいこと、前記基地局によって通信のために現在使用されていない前記１つまたは複数の周波数チャネルの候補周波数チャネルに関する広帯域受信電力測定値が第３のしきい値よりも小さいこと、または、前記候補周波数チャネルに関する前記広帯域受信電力測定値プラスオフセットが前記サービス提供セルに関する前記広帯域受信電力測定値よりも小さいこと、のうちの１つまたは複数を備える、報告イベントを特定すること、
を行わせるように前記プロセッサによってさらに実行可能である、
請求項９に記載の装置。
【請求項１４】
前記ＲＳＳＩを報告するための前記構成は、前記広帯域測定を実行するための１組のリソースの指示を備える、
請求項９に記載の装置。
【請求項１５】
前記１つまたは複数の周波数チャネルは、前記基地局によって通信のために現在使用されていない１つまたは複数の候補周波数チャネルを含む、
請求項９に記載の装置。
【請求項１６】
ワイヤレス通信の方法であって、
基地局によって、１つまたは複数の周波数チャネルに関するチャネル選択支援のための受信信号強度インジケータ（ＲＳＳＩ）を報告するために１つまたは複数のユーザ機器（ＵＥ）に各々の構成を送信すること、ここにおいて、前記各々の構成のそれぞれが前記１つまたは複数の対応する周波数チャネル上でＲＳＳＩの測定を実行するための１つまたは複数の測定ウィンドウ、およびＲＳＳＩの測定値を報告するための報告期間を備える、と、
前記報告期間中に前記１つまたは複数のＵＥから、前記１つまたは複数の測定ウィンドウにより測定されたＲＳＳＩを受信すること、ここにおいて、前記ＲＳＳＩは、前記１つまたは複数の周波数チャネルに関する合計の共チャネル干渉を備える前記１つまたは複数のＵＥによって受信された広帯域電力に少なくとも部分的に基づく、と、
前記ＲＳＳＩに少なくとも部分的に基づいて前記基地局のセカンダリセルに関する周波数チャネルを特定することと、
を備える、方法。
【請求項１７】
前記１つまたは複数の周波数チャネルは、前記セカンダリセルに関する前記周波数チャネルを前記特定することに先立って、前記基地局のサービス提供セルとして割り当てられなかった、請求項１６に記載の方法。
【請求項１８】
前記１つまたは複数の周波数チャネルに関する電力を測定することによって基地局広帯域受信電力情報を決定することと、
前記基地局広帯域受信電力情報に少なくとも部分的に基づいて前記基地局の前記セカンダリセルに関する前記周波数チャネルを特定することと、
をさらに備える、請求項１６に記載の方法。
【請求項１９】
前記１つまたは複数のＵＥは、前記基地局のプライマリセルによってサービスが提供されている複数のＵＥを備え、および、前記セカンダリセルに関する前記周波数チャネルを前記特定することは、前記基地局広帯域受信電力情報および前記受信されたＲＳＳＩに少なくとも部分的に基づいて最低の結合された干渉レベルを有する周波数チャネルを決定することを備える、
請求項１８に記載の方法。
【請求項２０】
前記各々の構成のそれぞれは、前記１つまたは複数のＵＥに関する不連続受信（ＤＲＸ）サイクル、前記１つまたは複数の周波数チャネルに関する前記１つまたは複数の測定ウィンドウに関するタイミングを示す測定タイミング構成、または前記１つまたは複数の周波数チャネルに関する発見基準信号（ＤＲＳ）構成、のうちの１つまたは複数を備える、
請求項１６に記載の方法。
【請求項２１】
前記各々の構成を前記送信することは、前記１つまたは複数のＵＥに、前記基地局によって通信のために現在使用されていない免許不要周波数帯域の候補周波数チャネルを特定する周波数情報、ＲＳＳＩ報告期間、ＲＳＳＩを得るために測定された広帯域受信電力をフィルタリングするためのフィルタ係数、のうちの任意のもの、またはそれらの組み合わせを送信することを備える、
請求項１６に記載の方法。
【請求項２２】
前記１つまたは複数の周波数チャネルは、前記基地局によって通信のために現在使用されていない免許不要周波数帯域の１つまたは複数の候補周波数チャネルを備える、
請求項１６に記載の方法。
【請求項２３】
ワイヤレス通信のための装置であって、
プロセッサと、
前記プロセッサと電子的通信状態にあるメモリと、
メモリに格納された命令と、を備え、前記命令は、前記プロセッサによって実行されるとき、前記装置に、
基地局によって、１つまたは複数の周波数チャネルに関するチャネル選択支援のための受信信号強度インジケータ（ＲＳＳＩ）を報告するために１つまたは複数のユーザ機器（ＵＥ）に各々の構成を送信すること、ここにおいて、前記各々の構成のそれぞれが前記１つまたは複数の対応する周波数チャネル上でＲＳＳＩの測定を実行するための１つまたは複数の測定ウィンドウ、およびＲＳＳＩの測定値を報告するための報告期間を備える、と、
前記報告期間中に前記１つまたは複数のＵＥから、前記１つまたは複数の測定ウィンドウにより測定されたＲＳＳＩを受信すること、ここにおいて、前記ＲＳＳＩは、前記１つまたは複数の周波数チャネルに関する合計の共チャネル干渉を備える前記１つまたは複数のＵＥによって受信された広帯域電力に少なくとも部分的に基づく、と、
前記ＲＳＳＩに少なくとも部分的に基づいて前記基地局のセカンダリセルに関する周波数チャネルを特定することと、
を行わせるように動作可能である、装置。
【請求項２４】
前記１つまたは複数の周波数チャネルは、前記セカンダリセルに関する前記周波数チャネルを前記特定することに先立って、前記基地局のサービス提供セルとして割り当てられなかった、
請求項２３に記載の装置。
【請求項２５】
前記命令は、前記プロセッサによって、前記装置に、
前記１つまたは複数の周波数チャネルに関する電力を測定することによって基地局広帯域受信電力情報を決定することと、
前記基地局広帯域受信電力情報に少なくとも部分的に基づいて前記基地局の前記セカンダリセルに関する前記周波数チャネルを特定することと、
を行わせるようにさらに実行可能である、請求項２３に記載の装置。
【請求項２６】
前記１つまたは複数のＵＥは、前記基地局のプライマリセルによってサービスが提供されている複数のＵＥを備え、および、前記セカンダリセルに関する前記周波数チャネルを前記特定することは、前記基地局広帯域受信電力情報および前記受信されたＲＳＳＩに少なくとも部分的に基づいて最低の結合された干渉レベルを有する周波数チャネルを決定することを備える、
請求項２５に記載の装置。
【請求項２７】
前記命令は、前記プロセッサによって、
前記複数の測定ウィンドウの間に前記１つまたは複数の周波数チャネル上で送信をサイレントにすること、
を行わせるようにさらに実行可能である、請求項２３に記載の装置。
【請求項２８】
前記各々の構成のそれぞれは、前記１つまたは複数のＵＥに関する不連続受信（ＤＲＸ）サイクル、前記１つまたは複数の周波数チャネルに関する前記複数の測定ウィンドウに関するタイミングを示す測定タイミング構成、または前記１つまたは複数の周波数チャネルに関する発見基準信号（ＤＲＳ）構成、のうちの１つまたは複数を備える、
請求項２３に記載の装置。
【請求項２９】
前記命令は、前記装置に、
前記１つまたは複数のＵＥに、前記基地局によって通信のために現在使用されていない免許不要周波数帯域の候補周波数チャネルを特定する周波数情報、ＲＳＳＩ報告期間、ＲＳＳＩを得るために測定された広帯域受信電力をフィルタリングするためのフィルタ係数、のうちの任意のもの、またはそれらの組み合わせを送信すること、
を行わせるように前記プロセッサによってさらに実行可能である、
請求項２３に記載の装置。
【請求項３０】
前記１つまたは複数の周波数チャネルは、前記基地局によって通信のために現在使用されていない免許不要周波数帯域の１つまたは複数の候補周波数チャネルを備える、
請求項２３に記載の装置。
【請求項３１】
ワイヤレス通信のための装置であって、
ユーザ機器（ＵＥ）において、基地局にチャネル選択支援のための受信信号強度インジケータ（ＲＳＳＩ）を報告するための構成を特定するための手段、ここにおいて、前記構成は、  報告期間および１つまたは複数の対応する周波数チャネル上で測定を実行するための１つまたは複数の測定ウィンドウを備える、と、
前記１つまたは複数の測定ウィンドウ中に前記１つまたは複数の周波数チャネルに関する受信電力の広帯域測定を実行するための手段、前記１つまたは複数の各周波数チャネルに関する前記測定された受信電力は、前記１つまたは複数の各周波数チャネル上での合計の共チャネル干渉を備える、と、
前記１つまたは複数の周波数チャネルに関する各々のＲＳＳＩを得るために前記広帯域測定の値をフィルタリングするための手段と、
前記報告期間により前記基地局に前記各々のＲＳＳＩを報告するための手段と、を備える、
装置。
【請求項３２】
前記１つまたは複数の測定ウィンドウは、前記１つまたは複数の周波数チャネル上での前記基地局による送信にかかわらず前記広帯域測定が実行されるとき、時間間隔を備える、
請求項３１に記載の装置。
【請求項３３】
前記構成は、前記ＵＥに関する不連続受信（ＤＲＸ）サイクル、前記１つまたは複数の測定ウィンドウに関するタイミングを示す測定タイミング構成、またはセルに関する発見基準信号（ＤＲＳ）構成、のうちの１つまたは複数を備える、
請求項３１に記載の装置。
【請求項３４】
前記１つまたは複数の測定ウィンドウ中に前記１つまたは複数の周波数チャネルに関する前記広帯域測定を前記実行することは、サービス提供セルの帯域幅全体にわたって受信された合計電力、または前記ＵＥへの通信のために現在使用されていない前記１つまたは複数の周波数チャネルの候補周波数チャネルの帯域幅全体にわたって受信された合計電力、のうちの１つまたは複数を測定することを備える、
請求項３１に記載の装置。
【請求項３５】
前記基地局のサービス提供セルに関する広帯域受信電力測定値が第１のしきい値よりも大きいこと、前記サービス提供セルに関する前記広帯域受信電力測定値が第２のしきい値よりも小さいこと、前記基地局によって通信のために現在使用されていない前記１つまたは複数の周波数チャネルの候補周波数チャネルに関する広帯域受信電力測定値が第３のしきい値よりも小さいこと、または、前記候補周波数チャネルに関する前記広帯域受信電力測定値プラスオフセットが前記サービス提供セルに関する前記広帯域受信電力測定値よりも小さいこと、のうちの１つまたは複数を備える、報告イベントを特定するための手段と、
前記報告イベントを特定することに少なくとも部分的に基づいて、前記基地局に前記各々のＲＳＳＩを報告するための手段と、
をさらに備える、
請求項３１に記載の装置。
【請求項３６】
前記ＲＳＳＩを報告するための前記構成は、前記広帯域測定を実行するための１組のリソースの指示を備える、
請求項３１に記載の装置。
【請求項３７】
前記１つまたは複数の周波数チャネルは、前記基地局によって通信のために現在使用されていない１つまたは複数の候補周波数チャネルを備える、
請求項３１に記載の装置。
【請求項３８】
前記１つまたは複数の周波数チャネルは、免許不要周波数帯域の１つまたは複数のチャネルを備える、
請求項３１に記載の装置。
【請求項３９】
ワイヤレス通信のための装置であって、
基地局によって、１つまたは複数の周波数チャネルに関するチャネル選択支援のための受信信号強度インジケータ（ＲＳＳＩ）を報告するために１つまたは複数のユーザ機器（ＵＥ）に各々の構成を送信するための手段、ここにおいて、前記各々の構成のそれぞれが報告期間、および前記１つまたは複数の対応する周波数チャネル上で測定を実行するための１つまたは複数の測定ウィンドウを備える、と、
前記報告期間中に前記１つまたは複数のＵＥから、前記１つまたは複数の測定ウィンドウにより測定されたＲＳＳＩを受信するための手段、ここにおいて、前記ＲＳＳＩは、前記１つまたは複数の周波数チャネルに関する合計の共チャネル干渉を備える前記１つまたは複数のＵＥによって受信された広帯域電力に少なくとも部分的に基づく、と、
前記ＲＳＳＩに少なくとも部分的に基づいて前記基地局のセカンダリセルに関する周波数チャネルを特定するための手段と、
を備える、装置。
【請求項４０】
前記１つまたは複数の周波数チャネルは、前記セカンダリセルに関する前記周波数チャネルを前記特定することに先立って、前記基地局のサービス提供セルとして割り当てられなかった、請求項３９に記載の装置。
【請求項４１】
前記１つまたは複数の周波数チャネルに関する電力を測定することによって基地局広帯域受信電力情報を決定するための手段と、
前記基地局広帯域受信電力情報に少なくとも部分的に基づいて前記基地局の前記セカンダリセルに関する前記周波数チャネルを特定するための手段と、
を備える、請求項３９に記載の装置。
【請求項４２】
前記１つまたは複数のＵＥは、前記基地局のプライマリセルによってサービスが提供されている複数のＵＥを備え、および、前記セカンダリセルに関する前記周波数チャネルを前記特定することは、前記基地局広帯域受信電力情報および前記受信されたＲＳＳＩに少なくとも部分的に基づいて最低の結合された干渉レベルを有する周波数チャネルを決定することを備える、
請求項４１に記載の装置。
【請求項４３】
前記各々の構成のそれぞれは、前記１つまたは複数のＵＥに関する不連続受信（ＤＲＸ）サイクル、前記１つまたは複数の周波数チャネルに関する前記複数の測定ウィンドウに関するタイミングを示す測定タイミング構成、または前記１つまたは複数の周波数チャネルに関する発見基準信号（ＤＲＳ）構成、のうちの１つまたは複数を備える、
請求項３９に記載の装置。
【請求項４４】
前記各々の構成を送信するための手段は、前記１つまたは複数のＵＥに、前記基地局によって通信のために現在使用されていない免許不要周波数帯域の候補周波数チャネルを特定する周波数情報、ＲＳＳＩ報告期間、ＲＳＳＩを得るために測定された広帯域受信電力をフィルタリングするためのフィルタ係数、のうちの任意のもの、またはそれらの組み合わせを送信することを備える、
請求項３９に記載の装置。
【請求項４５】
前記１つまたは複数の周波数チャネルは、前記基地局によって通信のために現在使用されていない免許不要周波数帯域の１つまたは複数の候補周波数チャネルを備える、
請求項３９に記載の装置。
【請求項４６】
ワイヤレス通信のためのコードを記憶した非一時的なコンピュータ可読媒体であって、
前記コードは、
ユーザ機器（ＵＥ）において、基地局にチャネル選択支援のための受信信号強度インジケータ（ＲＳＳＩ）を報告するための構成を特定すること、ここにおいて、前記構成は、報告期間、および１つまたは複数の対応する周波数チャネル上で測定を実行するための１つまたは複数の測定ウィンドウを備える、と、
１つまたは複数の測定ウィンドウ中に前記１つまたは複数の周波数チャネルに関する受信電力の広帯域測定を実行すること、前記１つまたは複数の各周波数チャネルに関する前記測定された受信電力は、前記１つまたは複数の各周波数チャネル上の合計の共チャネル干渉を備える、と、
前記１つまたは複数の周波数チャネルに関する各々のＲＳＳＩを得るために前記広帯域測定の値をフィルタリングすることと、
前記報告期間により前記基地局に前記各々のＲＳＳＩを報告することと、
を行うように、プロセッサによって実行可能な命令を備える、
非一時的なコンピュータ可読媒体。
【請求項４７】
ワイヤレス通信のためのコードを記憶した非一時的なコンピュータ可読媒体であって、
前記コードは、
基地局によって、１つまたは複数の周波数チャネルに関するチャネル選択支援のための受信信号強度インジケータ（ＲＳＳＩ）を報告するために１つまたは複数のユーザ機器（ＵＥ）に各々の構成を送信すること、ここにおいて、前記各々の構成のそれぞれが報告期間、および前記１つまたは複数の対応する周波数チャネル上で測定を実行するための１つまたは複数の測定ウィンドウを備える、と、
前記報告期間中に前記１つまたは複数のＵＥから、前記１つまたは複数の測定ウィンドウにより測定されたＲＳＳＩを受信すること、ここにおいて、前記ＲＳＳＩは、前記１つまたは複数の周波数チャネルに関する合計の共チャネル干渉を備える前記１つまたは複数のＵＥによって受信された広帯域電力に少なくとも部分的に基づく、と、
前記ＲＳＳＩに少なくとも部分的に基づいて前記基地局のセカンダリセルに関する周波数チャネルを特定することと、
を行うように、プロセッサによって実行可能な命令を備える、
非一時的なコンピュータ可読媒体。
【手続補正２】
【補正対象書類名】明細書
【補正対象項目名】０１３６
【補正方法】変更
【補正の内容】
【０１３６】
[0157]本明細書において説明される技法は、符号分割多元接続（ＣＤＭＡ）、時分割多元接続（ＴＤＭＡ）、周波数分割多元接続（ＦＤＭＡ）、ＯＦＤＭＡ、ＳＣ−ＦＤＭＡおよび他のシステムのような様々なワイヤレス通信システムに関して使用され得る。用語「システム」および「ネットワーク」は、互換可能な形でしばしば使用される。ＣＤＭＡシステムは、ＣＤＭＡ２０００、ユニバーサル地上無線アクセス（ＵＴＲＡ）、等のような無線技術を実装し得る。ＣＤＭＡ２０００は、ＩＳ−２０００、ＩＳ−９５、およびＩＳ−８５６規格を網羅する。ＩＳ−２０００リリース０およびＡは、ＣＤＭＡ２０００  １Ｘ、１Ｘ、等と共通して呼ばれ得る。ＩＳ−８５６（ＴＩＡ−８５６）は、ＣＤＭＡ２０００  １ｘＥＶ−ＤＯ、高レートパケットデータ（ＨＲＰＤ）、等と共通して呼ばれる。ＵＴＲＡは、ワイドバンドＣＤＭＡ（ＷＣＤＭＡ（登録商標））と、ＣＤＭＡの他の変形と、を含む。ＴＤＭＡシステムは、グローバル移動通信システム（ＧＳＭ（登録商標））のような無線技法を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ、等のような無線技術を実装し得る。ＵＴＲＡおよびＥ−ＵＴＲＡは、ユニバーサル移動通信システム（ＵＭＴＳ）の一部である。３ＧＰＰロングタームエボリューション（ＬＴＥ）およびＬＴＥ−Ａｄｖａｎｃｅｄ（ＬＴＥ−Ａ）は、Ｅ−ＵＴＲＡを使用するユニバーサル移動通信システム（ＵＭＴＳ）の新しいリリースである。ＵＴＲＡ、Ｅ−ＵＴＲＡ、ＵＭＴＳ、ＬＴＥ、ＬＴＥ−Ａ、およびグローバル移動通信システム（ＧＳＭ）は、「第３世代パートナーシッププロジェクト」（３ＧＰＰ）という名称の団体からの文書において説明される。ＣＤＭＡ２０００およびＵＭＢは、「第３世代パートナーシッププロジェクト２」（３ＧＰＰ２）という名称の団体からの文書において説明される。本明細書において説明される技法は、上記のシステムおよび無線技術、さらには他のシステムおよび無線技術に関して使用され得る。しかしながら、上の説明は、例の目的のためにＬＴＥシステムについて説明し、上の説明の多くではＬＴＥ用語が使用されるが、技法は、ＬＴＥ適用例を越えて適用可能である。
以下に本願の出願当初の特許請求の範囲に記載された発明を付記する。
［Ｃ１］
ワイヤレス通信の方法であって、
ユーザ機器（ＵＥ）において、基地局にチャネル選択支援のための測定値を報告するための構成を特定すること、ここにおいて、前記構成は、少なくとも１つの周波数チャネルに関する複数の信号強度測定期間を示す前記少なくとも１つの周波数チャネルに関する各々のタイミング情報を備える、と、
前記複数の信号強度測定期間中に前記少なくとも１つの周波数チャネルに関する広帯域測定を実行することと、
前記少なくとも１つの周波数チャネルに関する各々のフィルタリングされた広帯域受信信号強度を得るために前記広帯域測定値をフィルタリングすることと、
前記基地局に前記フィルタリングされた広帯域受信信号強度を報告することと、を備える、ワイヤレス通信の方法。
［Ｃ２］
前記複数の信号強度測定期間は、前記少なくとも１つの周波数チャネル上での前記基地局による送信にかかわらず前記広帯域測定が実行される時間間隔を備える、
Ｃ１に記載の方法。
［Ｃ３］
前記各々のタイミング情報に少なくとも部分的に基づいて前記少なくとも１つの周波数チャネルに関する前記複数の信号強度測定期間を特定することをさらに備え、ここにおいて、前記各々のタイミング情報は、前記ＵＥに関する不連続受信（ＤＲＸ）サイクル、前記複数の信号強度測定期間に関するタイミングを示す測定タイミング構成、またはセルに関する発見基準信号（ＤＲＳ）構成のうちの１つまたは複数を備える、
Ｃ１に記載の方法。
［Ｃ４］
前記複数の信号強度測定期間中に前記少なくとも１つの周波数チャネルに関する前記広帯域測定を実行することは、サービス提供セルの帯域幅全体にわたって受信された合計電力、または前記ＵＥへの通信のために現在使用されていない前記少なくとも１つの周波数チャネルの候補周波数チャネルの帯域幅全体にわたって受信された合計電力のうちの１つまたは複数を測定することを備える、
Ｃ１に記載の方法。
［Ｃ５］
前記基地局に前記フィルタリングされた広帯域受信信号強度を前記報告することをトリガする報告イベントを特定することをさらに備え、
ここにおいて、前記報告イベントは、前記基地局のサービス提供セルに関する広帯域受信信号強度測定値が第１のしきい値よりも大きいこと、前記サービス提供セルに関する前記広帯域受信信号強度測定値が第２のしきい値よりも小さいこと、前記基地局によって通信のために現在使用されていない前記少なくとも１つの周波数チャネルのうちの候補周波数チャネルに関する広帯域受信信号強度測定値が第３のしきい値よりも小さいこと、または、前記候補周波数チャネルに関する広帯域受信信号強度測定値プラスオフセットが前記サービス提供セルに関する前記広帯域受信信号強度測定値よりも小さいことのうちの１つまたは複数を備える、
Ｃ１に記載の方法。
［Ｃ６］
前記フィルタリングされた広帯域受信信号強度を前記報告することは、チャネル選択支援報告期間により前記フィルタリングされた広帯域受信信号強度を周期的に報告することを備える、
Ｃ１に記載の方法。
［Ｃ７］
前記少なくとも１つの周波数チャネルは、前記基地局によって通信のために現在使用されていない少なくとも１つの候補周波数チャネルを含む、
Ｃ１に記載の方法。
［Ｃ８］
前記少なくとも１つの周波数チャネルは、免許不要周波数帯域の１つまたは複数のチャネルを備える、
Ｃ１に記載の方法。
［Ｃ９］
ワイヤレス通信のための装置であって、
ユーザ機器（ＵＥ）において、基地局に少なくとも１つの周波数チャネルに関するチャネル選択支援のための測定値を報告するための構成を特定するための手段、ここにおいて、前記構成は、前記少なくとも１つの周波数チャネルに関する複数の信号強度測定期間を示す前記少なくとも１つの周波数チャネルに関する各々のタイミング情報を備える、と、
前記複数の信号強度測定期間中に前記少なくとも１つの周波数チャネルに関する広帯域測定を実行するための手段と、
前記少なくとも１つの周波数チャネルに関する各々のフィルタリングされた広帯域受信信号強度を得るために前記広帯域測定値をフィルタリングするための手段と、
前記基地局に前記フィルタリングされた広帯域受信信号強度を報告するための手段と、を備える、ワイヤレス通信のための装置。
［Ｃ１０］
前記複数の信号強度測定期間は、前記少なくとも１つの周波数チャネル上での前記基地局による送信にかかわらず前記広帯域測定が実行される時間間隔を備える、
Ｃ９に記載の装置。
［Ｃ１１］
前記各々のタイミング情報に少なくとも部分的に基づいて前記少なくとも１つの周波数チャネルに関する前記複数の信号強度測定期間を特定するための手段をさらに備え、ここにおいて、前記各々のタイミング情報は、前記ＵＥに関する不連続受信（ＤＲＸ）サイクル、前記複数の信号強度測定期間に関するタイミングを示す測定タイミング構成、またはセルに関する発見基準信号（ＤＲＳ）構成のうちの１つまたは複数を備える、
Ｃ９に記載の装置。
［Ｃ１２］
前記広帯域測定を実行するための前記手段は、サービス提供セルの帯域幅全体にわたって受信された合計電力または前記ＵＥへの通信のために現在使用されていない前記少なくとも１つの周波数チャネルのうちの候補周波数チャネルの帯域幅全体にわたって受信された合計電力のうちの１つまたは複数を測定する、
Ｃ９に記載の装置。
［Ｃ１３］
前記基地局に前記フィルタリングされた広帯域受信信号強度を前記報告することをトリガする報告イベントを特定するための手段をさらに備え、
ここにおいて、前記報告イベントは、前記基地局のサービス提供セルに関する広帯域受信信号強度測定値が第１のしきい値よりも大きいこと、前記サービス提供セルに関する前記広帯域受信信号強度測定値が第２のしきい値よりも小さいこと、前記基地局によって通信のために現在使用されていない前記少なくとも１つの周波数チャネルのうちの候補周波数チャネルに関する広帯域受信信号強度測定値が第３のしきい値よりも小さいこと、または、前記候補周波数チャネルに関する前記広帯域受信信号強度測定値プラスオフセットが前記サービス提供セルに関する前記広帯域受信信号強度測定値よりも小さいことのうちの１つまたは複数を備える、
Ｃ９に記載の装置。
［Ｃ１４］
報告するための前記手段は、チャネル選択支援報告期間により前記フィルタリングされた広帯域受信信号強度を周期的に報告する、
Ｃ９に記載の装置。
［Ｃ１５］
前記少なくとも１つの周波数チャネルは、前記基地局によって通信のために現在使用されていない少なくとも１つの候補周波数チャネルを含む、
Ｃ９に記載の装置。
［Ｃ１６］
ワイヤレス通信の方法であって、
基地局によって、少なくとも１つの周波数チャネルに関するチャネル選択支援のための測定値を報告するために少なくとも１つユーザ機器（ＵＥ）を構成すること、ここにおいて、前記構成することは、前記少なくとも１つの周波数チャネルに関する複数の信号強度測定期間を示す前記少なくとも１つの周波数チャネルに関する各々のタイミング情報を送信することを備える、と、
前記少なくとも１つＵＥから、前記各々のタイミング情報により測定されたＵＥ広帯域受信信号強度情報を受信することと、
前記ＵＥ受信信号強度干渉情報に少なくとも部分的に基づいて前記基地局のセカンダリセルに関する周波数チャネルを特定することと、を備える、ワイヤレス通信の方法。
［Ｃ１７］
前記複数の信号強度測定期間の間前記少なくとも１つの周波数チャネル上での送信を抑制することをさらに備える、
Ｃ１６に記載の方法。
［Ｃ１８］
前記少なくとも１つの周波数チャネルに関する信号強度を測定することによって基地局広帯域信号強度情報を決定することと、
前記基地局広帯域受信信号強度情報に少なくとも部分的に基づいて前記基地局の前記セカンダリセルに関する前記周波数チャネルを特定することと、をさらに備える、
Ｃ１６に記載の方法。
［Ｃ１９］
前記少なくとも１つのＵＥは、前記基地局のプライマリセルによってサービスが提供されている複数のＵＥを備え、および、ここにおいて、前記セカンダリセルに関する前記周波数チャネルを前記特定することは、前記基地局広帯域受信信号強度情報および前記受信されたＵＥ広帯域受信信号強度情報に少なくとも部分的に基づいて最低の結合された干渉レベルを有する周波数チャネルを決定することを備える、
Ｃ１８に記載の方法。
［Ｃ２０］
前記各々のタイミング情報は、前記少なくとも１つのＵＥに関するＤＲＸサイクル、前記少なくとも１つの周波数チャネルに関する前記複数の信号強度に関するタイミングを示す測定タイミング構成、または前記少なくとも１つの周波数チャネルに関する発見基準信号（ＤＲＳ）構成のうちの１つまたは複数を備える、
Ｃ１６に記載の方法。
［Ｃ２１］
前記少なくとも１つのＵＥを前記構成することは、前記少なくとも１つのＵＥに、前記基地局によって通信のために現在使用されていない免許不要周波数帯域の候補周波数チャネルを特定する周波数情報、広帯域受信信号強度報告期間、フィルタリングされた広帯域受信信号強度を得るために測定された広帯域受信信号強度をフィルタリングするためのフィルタ係数、またはそれらの組み合わせのうちのいずれかを送信することを備える、
Ｃ１６に記載の方法。
［Ｃ２２］
前記少なくとも１つの周波数チャネルは、前記基地局によって通信のために現在使用されていない免許不要周波数帯域の少なくとも１つの候補周波数チャネルを含む、
Ｃ１６に記載の方法。
［Ｃ２３］
ワイヤレス通信のための装置であって、
基地局によって、少なくとも１つの周波数チャネルに関するチャネル選択支援のための測定値を報告するために少なくとも１つのユーザ機器（ＵＥ）を構成するための手段、ここにおいて、前記構成することは、前記少なくとも１つの周波数チャネルに関する複数の信号強度測定期間を示す前記少なくとも１つの周波数チャネルに関する各々のタイミング情報を送信することを備える、と、
前記少なくとも１つのＵＥから、前記各々のタイミング情報により測定されたＵＥ広帯域受信信号強度情報を受信するための手段と、
前記ＵＥ受信信号強度干渉情報に少なくとも部分的に基づいて前記基地局のセカンダリセルに関する周波数チャネルを特定するための手段と、を備える、ワイヤレス通信のための装置。
［Ｃ２４］
前記複数の信号強度測定期間の間前記少なくとも１つの周波数チャネル上での送信を抑制するための手段をさらに備える、
Ｃ２３に記載の装置。
［Ｃ２５］
周波数チャネルの前記少なくとも１つに関する信号強度を測定することによって基地局広帯域信号強度情報を決定するための手段をさらに備え、
ここにおいて、特定するための前記手段は、前記基地局広帯域受信信号強度情報に少なくとも部分的に基づいて前記基地局の前記セカンダリセルに関する前記周波数チャネルを特定する、
Ｃ２３に記載の装置。
［Ｃ２６］
前記少なくとも１つのＵＥは、前記基地局のプライマリセルによってサービスが提供されている複数のＵＥを備え、および、ここにおいて、前記セカンダリセルに関する前記周波数チャネルを前記特定することは、前記基地局広帯域受信信号強度情報および前記受信されたＵＥ広帯域受信信号強度情報に少なくとも部分的に基づいて最低の結合された干渉レベルを有する周波数チャネルを決定することを備える、
Ｃ２５に記載の装置。
［Ｃ２７］
前記各々のタイミング情報は、前記少なくとも１つのＵＥに関するＤＲＸサイクル、前記少なくとも１つの周波数チャネルに関する前記複数の信号強度に関するタイミングを示す測定タイミング構成、または前記少なくとも１つの周波数チャネルに関する発見基準信号（ＤＲＳ）構成のうちの１つまたは複数を備える、
Ｃ２３に記載の装置。
［Ｃ２８］
構成するための前記手段は、前記少なくとも１つのＵＥに、前記基地局によって通信のために現在使用されていない免許不要周波数帯域の候補周波数チャネルを特定する周波数情報、広帯域受信信号強度報告期間、フィルタリングされた広帯域受信信号強度を得るために測定された広帯域受信信号強度をフィルタリングするためのフィルタ係数、またはそれらの組み合わせのうちのいずれかを送信する、
Ｃ２３に記載の装置。
［Ｃ２９］
前記少なくとも１つの周波数チャネルは、前記基地局によって通信のために現在使用されていない免許不要周波数帯域の少なくとも１つ候補周波数チャネルを含む、
Ｃ２３に記載の装置。
【外国語明細書】
2020162125000001.pdf